(57)【特許請求の範囲】
【請求項１】
ディスカバリ信号の測定を実行する方法であって、前記方法は、
ディスカバリ信号に対する情報を受信することであって、前記情報は、周期、オフセット、及びセルＩＤを含む、ことと、
セカンダリセルからの前記ディスカバリ信号を測定するタイミングを前記周期及びオフセットに基づいて決定することと
を含み、
前記タイミングを決定するときに、プライマリセルのＳＦＮ（ｓｙｓｔｅｍ  ｆｒａｍｅ  ｎｕｍｂｅｒ）及び前記オフセットが使用される、方法。
【請求項２】
前記ディスカバリ信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）のうちの少なくとも一つに基づく信号である、請求項１に記載の方法。
【請求項３】
前記情報は、ＣＳＩ−ＲＳに対する情報をさらに含む、請求項１に記載の方法。
【請求項４】
前記ディスカバリ信号は、セカンダリセルから他の信号または他のチャネルが送信されないときに前記セカンダリセルから送信される、請求項１に記載の方法。
【請求項５】
前記情報は、周波数毎に受信される、請求項１に記載の方法。
【請求項６】
ディスカバリ信号の測定を実行する無線端末であって、前記無線端末は、
送受信器と、
プロセッサと
を備え、
前記プロセッサは、前記送受信器を制御することにより、
ディスカバリ信号に対する情報を受信することであって、前記情報は、周期、オフセット、及びセルＩＤを含む、ことと、
セカンダリセルからの前記ディスカバリ信号を測定するタイミングを前記周期及びオフセットに基づいて決定することと
を実行するように構成されており、
前記タイミングを決定するときに、プライマリセルのＳＦＮ（ｓｙｓｔｅｍ  ｆｒａｍｅ  ｎｕｍｂｅｒ）及び前記オフセットが使用される、無線端末。
【請求項７】
前記ディスカバリ信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）のうちの少なくとも一つに基づく信号である、請求項６に記載の無線端末。
【請求項８】
前記情報は、ＣＳＩ−ＲＳに対する情報をさらに含む、請求項６に記載の無線端末。
【請求項９】
前記ディスカバリ信号は、セカンダリセルから他の信号または他のチャネルが送信されないときに前記セカンダリセルから送信される、請求項６に記載の無線端末。
【請求項１０】
前記情報は、周波数毎に受信される、請求項６に記載の無線端末。
【発明の詳細な説明】
【技術分野】
【０００１】
本発明は、移動通信に関する。
【背景技術】
【０００２】
ＵＭＴＳ(Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ)の向上である３ＧＰＰ(３ｒｄ  Ｇｅｎｅｒａｔｉｏｎ  Ｐａｒｔｎｅｒｓｈｉｐ  Ｐｒｏｊｅｃｔ)ＬＴＥ(ｌｏｎｇ  ｔｅｒｍ  ｅｖｏｌｕｔｉｏｎ)は、３ＧＰＰリリース(ｒｅｌｅａｓｅ)８で紹介されている。３ＧＰＰ  ＬＴＥは、ダウンリンクでＯＦＤＭＡ(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ)を使用し、アップリンクでＳＣ−ＦＤＭＡ(Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ)を使用する。最大４個のアンテナを有するＭＩＭＯ(ｍｕｌｔｉｐｌｅ  ｉｎｐｕｔ  ｍｕｌｔｉｐｌｅ  ｏｕｔｐｕｔ)を採用する。最近、３ＧＰＰ  ＬＴＥの進化である３ＧＰＰ  ＬＴＥ−Ａ(ＬＴＥ−Ａｄｖａｎｃｅｄ)に対する議論が進行中である。
【０００３】
３ＧＰＰ  ＴＳ  ３６.２１１  Ｖ１０.４.０(２０１１−１２)“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ(Ｅ−ＵＴＲＡ)；Ｐｈｙｓｉｃａｌ  Ｃｈａｎｎｅｌｓ  ａｎｄ  Ｍｏｄｕｌａｔｉｏｎ(Ｒｅｌｅａｓｅ  １０)”に開示されているように、ＬＴＥにおける物理チャネルは、ダウンリンクチャネルであるＰＤＳＣＨ(Ｐｈｙｓｉｃａｌ  Ｄｏｗｎｌｉｎｋ  Ｓｈａｒｅｄ  Ｃｈａｎｎｅｌ)及びＰＤＣＣＨ(Ｐｈｙｓｉｃａｌ  Ｄｏｗｎｌｉｎｋ  Ｃｏｎｔｒｏｌ  Ｃｈａｎｎｅｌ)と、アップリンクチャネルであるＰＵＳＣＨ(Ｐｈｙｓｉｃａｌ  Ｕｐｌｉｎｋ  Ｓｈａｒｅｄ  Ｃｈａｎｎｅｌ)及びＰＵＣＣＨ(Ｐｈｙｓｉｃａｌ  Ｕｐｌｉｎｋ  Ｃｏｎｔｒｏｌ  Ｃｈａｎｎｅｌ)とに分けられる。
【０００４】
一方、最近、複数の小規模セル(または、スモールセル(ｓｍａｌｌ  ｃｅｌｌ)を構築する環境または複数のスモールセルとマクロセル(ｍａｃｒｏ  ｃｅｌｌ)を混用する環境が考慮されたり構築されたりしている。
【０００５】
このとき、スモールセルは、特定ユーザ装置(ＵＥ：Ｕｓｅｒ  Ｅｑｕｉｐｍｅｎｔ)のＰｃｅｌｌ(Ｐｒｉｍａｒｙ  Ｃｅｌｌ)として使われることもでき、該当スモールセルは、Ｓｃｅｌｌ(Ｓｅｃｏｎｄａｒｙ  Ｃｅｌｌ)としてのみ使われることもできる。
【０００６】
また、最近、密集されて位置するスモールセルをユーザ装置(ＵＥ)がより効率的に探すことができるようにするために、既存のＰＳＳ(ｐｒｉｍａｒｙ  ｓｙｎｃｈｒｏｎｉｚａｔｉｏｎ  ｓｉｇｎａｌ)/ＳＳＳ(ｓｅｃｏｎｄａｒｙ  ｓｙｎｃｈｒｏｎｉｚａｔｉｏｎ  ｓｉｇｎａｌ)外に新しい探索信号を作成して送信することが考慮されている。
【０００７】
しかし、このようなスモールセル環境では複数のスモールセルが同じチャネル(ｃｏ−ｃｈａｎｎｅｌ)に存在し、互いに近接した距離に位置するため、スモールセル間干渉(ｉｎｔｅｒｆｅｒｅｎｃｅ)がマクロセル間の干渉に比べて大きな問題になることができる。
【発明の概要】
【発明が解決しようとする課題】
【０００８】
したがって、本明細書の開示は、前述した問題点を解決することを目的とする。
【課題を解決するための手段】
【０００９】
前述した目的を達成するために、本明細書の一開示による方法は、クラスタ単位にグループ化された複数の小規模セル(Ｓｍａｌｌ−ｓｃａｌｅｄ  Ｃｅｌｌｓ)から一回の送信時、複数のサブフレームにわたって送信され、長い周期で周期的に送信される信号を受信する方法であって、前記複数の小規模セルのうち、任意小規模セルからの前記信号を第１のサブフレーム上で受信するステップと；前記任意小規模セルからの前記信号を第２のサブフレーム上で受信するステップと；を含み、前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わる。
【００１０】
ここで、前記信号は、前記任意小規模セルがオフ状態である場合にも受信され、前記任意小規模セルのオフ状態では前記信号外の他の信号は受信されない。
【００１１】
前記信号が受信されるリソース要素の位置は、特定基準に基づいて時変される。
【００１２】
前記特定基準は、サブフレーム、ラジオフレーム及び前記信号に対する送信イベントの発生である。
【００１３】
前記信号が受信されるリソース要素の位置は、前記特定基準に基づいて時間の変化によって決定されるタイムインデックス(Ｔｉｍｅ  Ｉｎｄｅｘ)によって変更される。
【００１４】
前記予め決められたホッピングパターンは、小規模セル別にまたはクラスタ別に異なるように決定される。
【００１５】
また、前記予め決められたホッピングパターンは、マクロセルにより設定される。
【００１６】
また、前記予め決められたホッピングパターンは、前記任意小規模セルに該当するセル識別子(ＩＤ：Ｉｄｅｎｔｉｆｉｃａｔｉｏｎ)、前記任意小規模セルを含むクラスタに該当するクラスタ識別子及び前記タイムインデックスのうち少なくとも一つにより決定される。
【００１７】
前記信号は、ＣＳＩ−ＲＳ(Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ)、ＣＲＳ(Ｃｅｌｌ−ｓｐｅｃｉｆｉｃ  Ｒｅｆｅｒｅｎｃｅ  Ｓｉｇｎａｌ)及びＰＲＳ(Ｐｏｓｉｔｉｏｎｉｎｇ  Ｒｅｆｅｒｅｎｃｅ  Ｓｉｇｎａｌ)のうちいずれか一つと同じまたは類似する形態を有する。
【００１８】
前記信号がＣＳＩ−ＲＳと同じまたは類似する形態を有する場合、前記信号は、前記信号に該当するＣＳＩ−ＲＳ設定(Ｃｏｎｆｉｇｕｒａｔｉｏｎ)に該当するリソース要素上で送信され、前記信号に該当するＣＳＩ−ＲＳ設定は、時間によって変更される。
【００１９】
また、前記信号がＣＲＳと同じまたは類似する形態を有する場合、前記信号は、前記ＣＲＳに該当するリソース要素の位置を特定パターンに移動させたリソース要素の位置上で送信され、前記特定パターンは、時間によって変更される。
【００２０】
また、前記信号がＰＲＳと同じまたは類似する形態を有する場合、前記信号は、前記ＰＲＳに該当するリソース要素の位置を特定パターンに移動させたリソース要素の位置上で送信され、前記特定パターンは、時間によって変更される。
【００２１】
前述した目的を達成するために、本明細書の一開示によるユーザ装置は、クラスタ単位にグループ化された複数の小規模セル（Ｓｍａｌｌ−ｓｃａｌｅｄ  Ｃｅｌｌｓ）から一回の送信時、複数のサブフレームにわたって送信され、長い周期で周期的に送信される信号を受信するユーザ装置であって、前記信号を受信するＲＦ部と；前記複数の小規模セルのうち、任意小規模セルからの前記信号を第１のサブフレーム上で受信し、前記任意セルからの前記信号を第２のサブフレーム上で受信するように前記ＲＦ部を制御するプロセッサと；を含み、前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わる。
本明細書は、例えば、以下の項目も提供する。
（項目１）
ディスカバリ信号に対する測定を実行する方法であって、
ディスカバリ信号に対する情報を受信するステップと、ここで、前記情報は、周波数毎に受信され、周期、オフセット、そしてセルＩＤを含み；
セカンダリセルからのディスカバリ信号を測定するタイミングを前記周期及びオフセットに基づいて決定するステップと、を含み、
前記オフセットは、プライマリセル（Ｐｃｅｌｌ）のＳＦＮ（ｓｙｓｔｅｍ  ｆｒａｍｅ  ｎｕｍｂｅｒ）を基準に決定されることを特徴とするディスカバリ信号に対する測定方法。
（項目２）
前記ディスカバリ信号は、
ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）のうち一つ以上に基づく信号であることを特徴とする項目１に記載のディスカバリ信号に対する測定方法。
（項目３）
前記情報は、ＣＳＩ−ＲＳに対する情報をさらに含むことを特徴とする項目１に記載のディスカバリ信号に対する測定方法。
（項目４）
前記ディスカバリ信号は、前記セカンダリセルから他の信号またはチャネルが受信されない時にも受信されることを特徴とする項目１に記載のディスカバリ信号に対する測定方法。
（項目５）
クラスタ単位にグループ化された複数の小規模セル（Ｓｍａｌｌ−ｓｃａｌｅｄ  Ｃｅｌｌｓ）から一回の送信時、複数のサブフレームにわたって送信され、長い周期で周期的に送信される信号を受信する方法において、
前記複数の小規模セルのうち、任意小規模セルからの前記信号を第１のサブフレーム上で受信するステップと；
前記任意小規模セルからの前記信号を第２のサブフレーム上で受信するステップと；を含み、
前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わることを特徴とする方法。
（項目６）
前記信号は、
前記任意小規模セルがオフ状態である場合にも受信され、
前記任意小規模セルのオフ状態では前記信号外の他の信号は受信されないことを特徴とする項目５に記載の方法。
（項目７）
前記信号が受信されるリソース要素の位置は、
特定基準に基づいて時変され、
前記特定基準は、サブフレーム、ラジオフレーム及び前記信号に対する送信イベントの発生であることを特徴とする項目５に記載の方法。
（項目８）
前記信号が受信されるリソース要素の位置は、
前記特定基準に基づいて時間の変化によって決定されるタイムインデックス（Ｔｉｍｅ  Ｉｎｄｅｘ）によって変更されることを特徴とする項目５に記載の方法。
（項目９）
前記予め決められたホッピングパターンは、
小規模セル別にまたはクラスタ別に異なるように決定されることを特徴とする項目５に記載の方法。
（項目１０）
前記予め決められたホッピングパターンは、
マクロセルにより設定されることを特徴とする項目９に記載の方法。
（項目１１）
前記予め決められたホッピングパターンは、
前記任意小規模セルに該当するセル識別子（ＩＤ：Ｉｄｅｎｔｉｆｉｃａｔｉｏｎ）、前記任意小規模セルを含むクラスタに該当するクラスタ識別子及び前記タイムインデックスのうち少なくとも一つにより決定されることを特徴とする項目１０に記載の方法。
（項目１２）
前記信号は、
ＣＳＩ−ＲＳ（Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ）、ＣＲＳ（Ｃｅｌｌ−ｓｐｅｃｉｆｉｃ  Ｒｅｆｅｒｅｎｃｅ  Ｓｉｇｎａｌ）及びＰＲＳ（Ｐｏｓｉｔｉｏｎｉｎｇ  Ｒｅｆｅｒｅｎｃｅ  Ｓｉｇｎａｌ）のうちいずれか一つと同じまたは類似する形態を有することを特徴とする項目５に記載の方法。
【発明の効果】
【００２２】
本明細書の開示によると、前述した従来技術の問題点が解決される。より具体的に、本明細書の開示によると、隣接セル間の干渉を考慮して決定されたリソース要素上に探索信号またはディスカバリ信号が送信されることで、効率的で優れたセル探索過程(Ｃｅｌｌ  Ｓｅａｒｃｈ  Ｐｒｏｃｅｄｕｒｅ)またはセルディスカバリ過程(Ｃｅｌｌ  Ｄｉｓｃｏｖｅｒｙ  Ｐｒｏｃｅｄｕｒｅ)が実行される利点がある。
【図面の簡単な説明】
【００２３】
【図１】無線通信システムである。
【００２４】
【図２】３ＧＰＰ  ＬＴＥにおいて、ＦＤＤによる無線フレーム(ｒａｄｉｏ  ｆｒａｍｅ)の構造を示す。
【００２５】
【図３】３ＧＰＰ  ＬＴＥにおいて、ＴＤＤによるダウンリンク無線フレームの構造を示す。
【００２６】
【図４】３ＧＰＰ  ＬＴＥにおいて、一つのアップリンクまたはダウンリンクのスロットに対するリソースグリッド(ｒｅｓｏｕｒｃｅ  ｇｒｉｄ)を示す例示図である。
【００２７】
【図５】ダウンリンクサブフレームの構造を示す。
【００２８】
【図６】３ＧＰＰ  ＬＴＥにおいて、アップリンクサブフレームの構造を示す。
【００２９】
【図７】単一搬送波システムとキャリアアグリゲーションシステムの比較例である。
【００３０】
【図８】キャリアアグリゲーションシステムにおける交差搬送波スケジューリングを例示する。
【００３１】
【図９ａ】図９ａ及び図９ｂは、各々、基本ＣＰ(Ｎｏｒｍａｌ  ＣＰ)及び拡張ＣＰ(Ｅｘｔｅｎｄｅｄ  ＣＰ)での同期信号送信のためのフレーム構造を示す。
【図９ｂ】図９ａ及び図９ｂは、各々、基本ＣＰ(Ｎｏｒｍａｌ  ＣＰ)及び拡張ＣＰ(Ｅｘｔｅｎｄｅｄ  ＣＰ)での同期信号送信のためのフレーム構造を示す。
【００３２】
【図１０】論理領域での二つのシーケンスが物理領域でインタリービングされてマッピングされるものを示す。
【００３３】
【図１１】３ＧＰＰ  ＬＴＥのＤＬサブフレームで基準信号と制御チャネルが配置される例を示す。
【００３４】
【図１２】ＣＳＩ−ＲＳマッピングの一例を示す。
【００３５】
【図１３ａ】図１３ａ及び図１３ｂは、複数のスモールセルを含むスモールセルクラスタ環境の例示を示す。
【図１３ｂ】図１３ａ及び図１３ｂは、複数のスモールセルを含むスモールセルクラスタ環境の例示を示す。
【００３６】
【図１４】本明細書の第１の開示による探索信号乃至ディスカバリ信号の特性を示す例示図である。
【００３７】
【図１５】スモールセルクラスタ間の干渉問題を示す例示図である。
【００３８】
【図１６】本明細書の第３の開示のうち、第１の態様による干渉回避方案を示す例示図である。
【００３９】
【図１７ａ】図１７ａ乃至図１７ｂは、本明細書の第３の開示のうち、第２の態様による干渉ランダム化を示す例示図である。
【図１７ｂ】図１７ａ乃至図１７ｂは、本明細書の第３の開示のうち、第２の態様による干渉ランダム化を示す例示図である。
【００４０】
【図１８】ディスカバリ信号の束別に変更されるディスカバリ信号のリソース要素位置を示す例示図である。
【００４１】
【図１９】ＤＲＳに含まれるＣＳＩ−ＲＳ(ＤＲＳ−ＣＳＩ−ＲＳ)の送信サブフレームの位置を示す例示図である。
【００４２】
【図２０】本明細書の開示が具現される無線通信システムを示すブロック図である。
【発明を実施するための形態】
【００４３】
以下、３ＧＰＰ(３ｒｄ  Ｇｅｎｅｒａｔｉｏｎ  Ｐａｒｔｎｅｒｓｈｉｐ  Ｐｒｏｊｅｃｔ)ＬＴＥ(ｌｏｎｇ  ｔｅｒｍ  ｅｖｏｌｕｔｉｏｎ)または３ＧＰＰ  ＬＴＥ−Ａ(ＬＴＥ−Ａｄｖａｎｃｅｄ)に基づいて本発明が適用されることを記述する。これは例示に過ぎず、本発明は、多様な無線通信システムに適用されることができる。以下、ＬＴＥとは、ＬＴＥ及び/またはＬＴＥ−Ａを含む。
【００４４】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、事前定義によって、または前後文脈によって、解釈されなければならず、過度に縮小された意味で解釈されてはならない。
【００４５】
また、本明細書で使われる単数の表現は、文脈上、明白に異なる意味ではない限り、複数の表現を含む。本出願において、“構成される”または“含む”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００４６】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００４７】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００４８】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００４９】
以下で使われる用語である基地局は、一般的に無線機器と通信する固定局(ｆｉｘｅｄ  ｓｔａｔｉｏｎ)を意味し、ｅＮｏｄｅＢ(ｅｖｏｌｖｅｄ−ＮｏｄｅＢ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)等、他の用語で呼ばれることもある。
【００５０】
また、以下で使われる用語であるＵＥ(Ｕｓｅｒ  Ｅｑｕｉｐｍｅｎｔ)は、固定されてもよいし、移動性を有してもよく、機器(Ｄｅｖｉｃｅ)、無線機器(Ｗｉｒｅｌｅｓｓ  Ｄｅｖｉｃｅ)、端末(Ｔｅｒｍｉｎａｌ)、ＭＳ(ｍｏｂｉｌｅ  ｓｔａｔｉｏｎ)、ＵＴ(ｕｓｅｒ  ｔｅｒｍｉｎａｌ)、ＳＳ(ｓｕｂｓｃｒｉｂｅｒ  ｓｔａｔｉｏｎ)、ＭＴ(ｍｏｂｉｌｅ  ｔｅｒｍｉｎａｌ)等、他の用語で呼ばれることもある。
【００５１】
図１は、無線通信システムである。
【００５２】
図１を参照して分かるように、無線通信システムは、少なくとも一つの基地局(ｂａｓｅ  ｓｔａｔｉｏｎ、ＢＳ)２０を含む。各基地局２０は、特定の地理的領域(一般的にセルという)２０ａ、２０ｂ、２０ｃに対して通信サービスを提供する。また、セルは、複数の領域(セクターという)に分けられる。
【００５３】
ＵＥは、通常的に、一つのセルに属し、ＵＥが属するセルをサービングセル(ｓｅｒｖｉｎｇ  ｃｅｌｌ)という。サービングセルに対して通信サービスを提供する基地局をサービング基地局(ｓｅｒｖｉｎｇ  ＢＳ)という。無線通信システムは、セルラーシステム(ｃｅｌｌｕｌａｒ  ｓｙｓｔｅｍ)であるため、サービングセルに隣接する他のセルが存在する。サービングセルに隣接する他のセルを隣接セル(ｎｅｉｇｈｂｏｒ  ｃｅｌｌ)という。隣接セルに対して通信サービスを提供する基地局を隣接基地局(ｎｅｉｇｈｂｏｒ  ＢＳ)という。サービングセル及び隣接セルは、ＵＥを基準に相対的に決定される。
【００５４】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００５５】
【００５６】
一方、無線通信システムは、大いに、ＦＤＤ(ｆｒｅｑｕｅｎｃｙ  ｄｉｖｉｓｉｏｎ  ｄｕｐｌｅｘ)方式とＴＤＤ(ｔｉｍｅ  ｄｉｖｉｓｉｏｎ  ｄｕｐｌｅｘ)方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的(ｒｅｃｉｐｒｏｃａｌ)である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００５７】
以下、ＬＴＥシステムに対し、より詳細に説明する。
【００５８】
図２は、３ＧＰＰ  ＬＴＥにおいて、ＦＤＤによる無線フレーム(ｒａｄｉｏ  ｆｒａｍｅ)の構造を示す。
【００５９】
図２に示す無線フレームは、３ＧＰＰ  ＴＳ  ３６.２１１  Ｖ１０.４.０(２０１１−１２)“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ(Ｅ−ＵＴＲＡ)；Ｐｈｙｓｉｃａｌ  Ｃｈａｎｎｅｌｓ  ａｎｄ  Ｍｏｄｕｌａｔｉｏｎ(Ｒｅｌｅａｓｅ  １０)”の５節を参照することができる。
【００６０】
図２を参照すると、無線フレームは、１０個のサブフレーム(ｓｕｂｆｒａｍｅ)を含み、一つのサブフレームは、２個のスロット(ｓｌｏｔ)を含む。無線フレーム内のスロットは、０から１９までのスロット番号が付けられる。一つのサブフレームの送信にかかる時間を送信時間区間(Ｔｒａｎｓｍｉｓｓｉｏｎ  Ｔｉｍｅ  ｉｎｔｅｒｖａｌ：ＴＴＩ)という。ＴＴＩは、データ送信のためのスケジューリング単位である。例えば、一つの無線フレームの長さは１０ｍｓであり、一つのサブフレームの長さは１ｍｓであり、一つのスロットの長さは０.５ｍｓである。
【００６１】
無線フレームの構造は、例示に過ぎず、無線フレームに含まれるサブフレームの数またはサブフレームに含まれるスロットの数等は、多様に変更されることができる。
【００６２】
一方、一つのスロットは、複数のＯＦＤＭシンボルを含むことができる。一つのスロットに複数のＯＦＤＭシンボルが含まれるかどうかは、循環前置(ｃｙｃｌｉｃ  ｐｒｅｆｉｘ：ＣＰ)によって変わることができる。
【００６３】
図３は、３ＧＰＰ  ＬＴＥにおいて、ＴＤＤによるダウンリンク無線フレームの構造を示す。
【００６４】
これは３ＧＰＰ  ＴＳ  ３６.２１１  Ｖ１０.４.０(２０１１−１２)“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ(Ｅ−ＵＴＲＡ)；Ｐｈｙｓｉｃａｌ  Ｃｈａｎｎｅｌｓ  ａｎｄ  Ｍｏｄｕｌａｔｉｏｎ(Ｒｅｌｅａｓｅ  １０)”の４節を参照することができ、ＴＤＤ(Ｔｉｍｅ  Ｄｉｖｉｓｉｏｎ  Ｄｕｐｌｅｘ)のためのものである。
【００６５】
【００６６】
インデックス＃１とインデックス＃６を有するサブフレームは、スペシャルサブフレームといい、ＤｗＰＴＳ(Ｄｏｗｎｌｉｎｋ  Ｐｉｌｏｔ  Ｔｉｍｅ  Ｓｌｏｔ)、ＧＰ(Ｇｕａｒｄ  Ｐｅｒｉｏｄ)及びＵｐＰＴＳ(Ｕｐｌｉｎｋ  Ｐｉｌｏｔ  Ｔｉｍｅ  Ｓｌｏｔ)を含む。ＤｗＰＴＳは、ＵＥでの初期セル探索、同期化またはチャネル推定に使われる。ＵｐＰＴＳは、基地局でのチャネル推定とＵＥのアップリンク送信同期を合わせるときに使われる。ＧＰは、アップリンクとダウンリンクとの間にダウンリンク信号の多重経路遅延によりアップリンクで発生する干渉を除去するための区間である。
【００６７】
ＴＤＤでは、一つの無線フレームにＤＬ(ｄｏｗｎｌｉｎｋ)サブフレームとＵＬ(Ｕｐｌｉｎｋ)サブフレームが共存する。表１は、無線フレームの設定(ｃｏｎｆｉｇｕｒａｔｉｏｎ)の一例を示す。
【００６８】
【表１】
0006297163.tif 000002
【００６９】
‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、ＵＥは、無線フレームの設定によって、どのサブフレームがＤＬサブフレームかまたはＵＬサブフレームかを知ることができる。
【００７０】
図４は、３ＧＰＰ  ＬＴＥにおいて、一つのアップリンクまたはダウンリンクのスロットに対するリソースグリッド(ｒｅｓｏｕｒｃｅ  ｇｒｉｄ)を示す例示図である。
【００７１】
図４を参照すると、アップリンクスロットまたはダウンリンクスロットは、時間領域(ｔｉｍｅ  ｄｏｍａｉｎ)で複数のＯＦＤＭシンボルを含み、周波数領域(ｆｒｅｑｕｅｎｃｙ  ｄｏｍａｉｎ)でＮＲＢ個のリソースブロック(ｒｅｓｏｕｒｃｅ  ｂｌｏｃｋ：ＲＢ)を含む。
【００７２】
リソースブロック(ＲＢ)は、リソース割当単位であり、一つのスロットで複数の副搬送波を含む。例えば、一つのスロットが時間領域で７個のＯＦＤＭシンボルを含み、リソースブロックは周波数領域で１２個の副搬送波を含む場合、一つのリソースブロックは、７×１２個のリソース要素(ｒｅｓｏｕｒｃｅ  ｅｌｅｍｅｎｔ：ＲＥ)を含むことができる。
【００７３】
【００７４】
図５は、ダウンリンクサブフレームの構造を示す。
【００７５】
図５では、ノーマルＣＰを仮定して例示的に一つのスロット内に７ＯＦＤＭシンボルが含むと図示した。
【００７６】
ＤＬ(ｄｏｗｎｌｉｎｋ)サブフレームは、時間領域で制御領域(ｃｏｎｔｒｏｌ  ｒｅｇｉｏｎ)とデータ領域(ｄａｔａ  ｒｅｇｉｏｎ)とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ(Ｐｈｙｓｉｃａｌ  Ｄｏｗｎｌｉｎｋ  Ｃｏｎｔｒｏｌ  Ｃｈａｎｎｅｌ)及び他の制御チャネルが割り当てられ、データ領域にはＰＤＳＣＨが割り当てられる。
【００７７】
３ＧＰＰ  ＬＴＥにおいて、物理チャネルは、データチャネルであるＰＤＳＣＨ(Ｐｈｙｓｉｃａｌ  Ｄｏｗｎｌｉｎｋ  Ｓｈａｒｅｄ  Ｃｈａｎｎｅｌ)及びＰＵＳＣＨ(Ｐｈｙｓｉｃａｌ  Ｕｐｌｉｎｋ  Ｓｈａｒｅｄ  Ｃｈａｎｎｅｌ)と、制御チャネルであるＰＤＣＣＨ(Ｐｈｙｓｉｃａｌ  Ｄｏｗｎｌｉｎｋ  Ｃｏｎｔｒｏｌ  Ｃｈａｎｎｅｌ)、ＰＣＦＩＣＨ(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)、ＰＨＩＣＨ(Ｐｈｙｓｉｃａｌ  Ｈｙｂｒｉｄ−ＡＲＱ  Ｉｎｄｉｃａｔｏｒ  Ｃｈａｎｎｅｌ)及びＰＵＣＣＨ(Ｐｈｙｓｉｃａｌ  Ｕｐｌｉｎｋ  Ｃｏｎｔｒｏｌ  Ｃｈａｎｎｅｌ)とに分けられる。
【００７８】
サブフレームの１番目のＯＦＤＭシンボルで送信されるＰＣＦＩＣＨは、サブフレーム内で制御チャネルの送信に使われるＯＦＤＭシンボルの数(即ち、制御領域の大きさ)に対するＣＦＩ(ｃｏｎｔｒｏｌ  ｆｏｒｍａｔ  ｉｎｄｉｃａｔｏｒ)を伝送する。無線機器は、まず、ＰＣＦＩＣＨ上にＣＦＩを受信した後、ＰＤＣＣＨをモニタリングする。
【００７９】
ＰＤＣＣＨと違って、ＰＣＦＩＣＨは、ブラインド復号を使用せずに、サブフレームの固定されたＰＣＦＩＣＨリソースを介して送信される。
【００８０】
ＰＨＩＣＨは、ＵＬ  ＨＡＲＱ(ｈｙｂｒｉｄ  ａｕｔｏｍａｔｉｃ  ｒｅｐｅａｔ  ｒｅｑｕｅｓｔ)のためのＡＣＫ(ｐｏｓｉｔｉｖｅ−ａｃｋｎｏｗｌｅｄｇｅｍｅｎｔ)/ＮＡＣＫ(ｎｅｇａｔｉｖｅ−ａｃｋｎｏｗｌｅｄｇｅｍｅｎｔ)信号を伝送する。無線機器により送信されるＰＵＳＣＨ上のＵＬ(ｕｐｌｉｎｋ)データに対するＡＣＫ/ＮＡＣＫ信号は、ＰＨＩＣＨ上に送信される。
【００８１】
ＰＢＣＨ(Ｐｈｙｓｉｃａｌ  Ｂｒｏａｄｃａｓｔ  Ｃｈａｎｎｅｌ)は、無線フレームの１番目のサブフレームの第２のスロットの前方部の４個のＯＦＤＭシンボルで送信される。ＰＢＣＨは、無線機器が基地局との通信に必須的なシステム情報を伝送し、ＰＢＣＨを介して送信されるシステム情報をＭＩＢ(ｍａｓｔｅｒ  ｉｎｆｏｒｍａｔｉｏｎ  ｂｌｏｃｋ)という。一方、ＰＤＣＣＨにより指示されるＰＤＳＣＨ上に送信されるシステム情報をＳＩＢ(ｓｙｓｔｅｍ  ｉｎｆｏｒｍａｔｉｏｎ  ｂｌｏｃｋ)という。
【００８２】
ＰＤＣＣＨは、ＤＬ−ＳＣＨ(ｄｏｗｎｌｉｎｋ−ｓｈａｒｅｄ  ｃｈａｎｎｅｌ)のリソース割当及び送信フォーマット、ＵＬ−ＳＣＨ(ｕｐｌｉｎｋ  ｓｈａｒｅｄ  ｃｈａｎｎｅｌ)のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令のセット及びＶｏＩＰ(ｖｏｉｃｅ  ｏｖｅｒ  ｉｎｔｅｒｎｅｔ  ｐｒｏｔｏｃｏｌ)の活性化などを伝送することができる。複数のＰＤＣＣＨが制御領域内で送信されることができ、ＵＥは、複数のＰＤＣＣＨをモニタリングすることができる。ＰＤＣＣＨは、一つまたは複数の連続的なＣＣＥ(ｃｏｎｔｒｏｌ  ｃｈａｎｎｅｌ  ｅｌｅｍｅｎｔｓ)のアグリゲーション(ａｇｇｒｅｇａｔｉｏｎ)上に送信される。ＣＣＥは、無線チャネルの状態による符号化率をＰＤＣＣＨに提供するために使われる論理的割当単位である。ＣＣＥは、複数のリソース要素グループ(ｒｅｓｏｕｒｃｅ  ｅｌｅｍｅｎｔ  ｇｒｏｕｐ)に対応される。ＣＣＥの数とＣＣＥにより提供される符号化率の関係によって、ＰＤＣＣＨのフォーマット及び可能なＰＤＣＣＨのビット数が決定される。
【００８３】
ＰＤＣＣＨを介して送信される制御情報をダウンリンク制御情報(ｄｏｗｎｌｉｎｋ  ｃｏｎｔｒｏｌ  ｉｎｆｏｒｍａｔｉｏｎ：ＤＣＩ)という。ＤＣＩは、ＰＤＳＣＨのリソース割当(これをＤＬグラント(ｄｏｗｎｌｉｎｋ  ｇｒａｎｔ)ともいう)、ＰＵＳＣＨのリソース割当(これをＵＬグラント(ｕｐｌｉｎｋ  ｇｒａｎｔ)ともいう)、任意のＵＥグループ内の個別ＵＥに対する送信パワー制御命令のセット及び/またはＶｏＩＰ(Ｖｏｉｃｅ  ｏｖｅｒ  Ｉｎｔｅｒｎｅｔ  Ｐｒｏｔｏｃｏｌ)の活性化を含むことができる。
【００８４】
基地局は、ＵＥに送るＤＣＩによって、ＰＤＣＣＨフォーマットを決定し、制御情報にＣＲＣ(ｃｙｃｌｉｃ  ｒｅｄｕｎｄａｎｃｙ  ｃｈｅｃｋ)を付ける。ＣＲＣにはＰＤＣＣＨのオーナ(ｏｗｎｅｒ)や用途によって、固有な識別子(ｒａｄｉｏ  ｎｅｔｗｏｒｋ  ｔｅｍｐｏｒａｒｙ  ｉｄｅｎｔｉｆｉｅｒ：ＲＮＴＩ)がマスキングされる。特定ＵＥのためのＰＤＣＣＨの場合、ＵＥの固有識別子、例えば、Ｃ−ＲＮＴＩ(ｃｅｌｌ−ＲＮＴＩ)がＣＲＣにマスキングされることができる。または、ページングメッセージのためのＰＤＣＣＨの場合、ページング指示識別子、例えば、Ｐ−ＲＮＴＩ(ｐａｇｉｎｇ−ＲＮＴＩ)がＣＲＣにマスキングされることができる。システム情報ブロック(ｓｙｓｔｅｍ  ｉｎｆｏｒｍａｔｉｏｎ  ｂｌｏｃｋ：ＳＩＢ)のためのＰＤＣＣＨの場合、システム情報識別子、ＳＩ−ＲＮＴＩ(ｓｙｓｔｅｍ  ｉｎｆｏｒｍａｔｉｏｎ−ＲＮＴＩ)がＣＲＣにマスキングされることができる。ＵＥのランダムアクセスプリアンブルの送信に対する応答であるランダムアクセス応答を指示するためにＲＡ−ＲＮＴＩ(ｒａｎｄｏｍ  ａｃｃｅｓｓ−ＲＮＴＩ)がＣＲＣにマスキングされることができる。
【００８５】
３ＧＰＰ  ＬＴＥでは、ＰＤＣＣＨの検出のためにブラインド復号を使用する。ブラインド復号は、受信されるＰＤＣＣＨ(これを候補(ｃａｎｄｉｄａｔｅ)ＰＤＣＣＨという)のＣＲＣ(Ｃｙｃｌｉｃ  Ｒｅｄｕｎｄａｎｃｙ  Ｃｈｅｃｋ)に所望する識別子をデマスキングし、ＣＲＣエラーをチェックすることで、該当ＰＤＣＣＨが自分の制御チャネルかどうかを確認する方式である。基地局は、無線機器に送るＤＣＩによって、ＰＤＣＣＨフォーマットを決定した後、ＤＣＩにＣＲＣを付け、ＰＤＣＣＨのオーナ(ｏｗｎｅｒ)や用途によって、固有な識別子(ＲＮＴＩ)をＣＲＣにマスキングする。
【００８６】
サブフレーム内の制御領域は、複数のＣＣＥ(ｃｏｎｔｒｏｌ  ｃｈａｎｎｅｌ  ｅｌｅｍｅｎｔ)を含む。ＣＣＥは、無線チャネルの状態による符号化率をＰＤＣＣＨに提供するために使われる論理的割当単位であり、複数のＲＥＧ(ｒｅｓｏｕｒｃｅ  ｅｌｅｍｅｎｔ  ｇｒｏｕｐ)に対応される。ＲＥＧは、複数のリソース要素(ｒｅｓｏｕｒｃｅ  ｅｌｅｍｅｎｔ)を含む。ＣＣＥの数とＣＣＥにより提供される符号化率の関係によって、ＰＤＣＣＨのフォーマット及び可能なＰＤＣＣＨのビット数が決定される。
【００８７】
一つのＲＥＧは、４個のＲＥを含み、一つのＣＣＥは、９個のＲＥＧを含む。一つのＰＤＣＣＨを構成するために{１,２,４,８}個のＣＣＥを使用することができ、{１,２,４,８}の各々の要素をＣＣＥアグリゲーションレベル(ａｇｇｒｅｇａｔｉｏｎ  ｌｅｖｅｌ)という。
【００８８】
ＰＤＣＣＨの送信に使われるＣＣＥの個数は、基地局がチャネル状態によって決定する。例えば、良いダウンリンクチャネル状態を有する端末には、一つのＣＣＥをＰＤＣＣＨ送信に使用することができる。悪い(ｐｏｏｒ)ダウンリンクチャネル状態を有する端末には、８個のＣＣＥをＰＤＣＣＨ送信に使用することができる。
【００８９】
一つまたはそれ以上のＣＣＥで構成された制御チャネルは、ＲＥＧ単位のインタリービングを実行し、セルＩＤ(ｉｄｅｎｔｉｆｉｅｒ)に基づく循環シフト(ｃｙｃｌｉｃ  ｓｈｉｆｔ)が実行された後に物理的リソースにマッピングされる。
【００９０】
一方、端末は、自分のＰＤＣＣＨが制御領域内のどんな位置でどんなＣＣＥアグリゲーションレベルやＤＣＩフォーマットを使用して送信されるかを知ることができない。一つのサブフレーム内で複数のＰＤＣＣＨが送信されることができるため、端末は、サブフレーム毎に複数のＰＤＣＣＨをモニタリングする。ここで、モニタリングとは、端末がＰＤＣＣＨフォーマットによってＰＤＣＣＨのデコーディングを試みることをいう。
【００９１】
３ＧＰＰ  ＬＴＥではブラインドデコーディングによる負担を減らすために、検索空間(ｓｅａｒｃｈ  ｓｐａｃｅ)を使用する。検索空間は、ＰＤＣＣＨのためのＣＣＥのモニタリングセット(ｍｏｎｉｔｏｒｉｎｇ  ｓｅｔ)を意味する。端末は、該当する検索空間内でＰＤＣＣＨをモニタリングする。
【００９２】
端末がＣ−ＲＮＴＩに基づいてＰＤＣＣＨをモニタリングする時、ＰＤＳＣＨの送信モード(ｔｒａｎｓｍｉｓｓｉｏｎ    ｍｏｄｅ：ＴＭ)によってモニタリングするＤＣＩフォーマットと検索空間が決定される。以下の表は、Ｃ−ＲＮＴＩが設定されたＰＤＣＣＨモニタリングの例を示す。
【００９３】
【００９４】
【表２−１】
0006297163.tif 000003
【表２−２】
0006297163.tif 000004
【００９５】
【００９６】
ＤＣＩフォーマットの用途は、以下の表のように区分される。
【００９７】
【００９８】
【表３】
0006297163.tif 000005
【００９９】
例えば、３ＧＰＰ  ＴＳ  ３６.２１２  Ｖ１０.２.０(２０１１−０６)の５.３.３.１.１節を参照し、ＤＣＩフォーマット０を説明すると、以下の表に示すようなフィールドを含む。
【０１００】
【０１０１】
【表４】
0006297163.tif 000006
【０１０２】
【０１０３】
図６は、３ＧＰＰ  ＬＴＥにおいて、アップリンクサブフレームの構造を示す。
【０１０４】
図６を参照すると、アップリンクサブフレームは、周波数領域で制御領域とデータ領域とに分けられる。制御領域には、アップリンク制御情報が送信されるためのＰＵＣＣＨ(Ｐｈｙｓｉｃａｌ  Ｕｐｌｉｎｋ  Ｃｏｎｔｒｏｌ  Ｃｈａｎｎｅｌ)が割り当てられる。データ領域には、データ(場合によって、制御情報も共に送信されることができる)が送信されるためのＰＵＳＣＨ(Ｐｈｙｓｉｃａｌ  Ｕｐｌｉｎｋ  Ｓｈａｒｅｄ  Ｃｈａｎｎｅｌ)が割り当てられる。
【０１０５】
一つのＵＥに対するＰＵＣＣＨは、サブフレームでリソースブロック対(ＲＢ  ｐａｉｒ)で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界(ｓｌｏｔ  ｂｏｕｎｄａｒｙ)を基準にして変更される。これをＰＵＣＣＨに割り当てられるＲＢ対がスロット境界で周波数がホッピングされた(ｆｒｅｑｕｅｎｃｙ−ｈｏｐｐｅｄ)という。
【０１０６】
ＵＥがアップリンク制御情報を時間によって互いに異なる副搬送波を介して送信することによって、周波数ダイバーシティ(ｆｒｅｑｕｅｎｃｙ  ｄｉｖｅｒｓｉｔｙ)利得を得ることができる。ｍは、サブフレーム内でＰＵＣＣＨに割り当てられたリソースブロック対の論理的な周波数領域位置を示す位置インデックスである。
【０１０７】
ＰＵＣＣＨ上に送信されるアップリンク制御情報には、ＨＡＲＱ(ｈｙｂｒｉｄ  ａｕｔｏｍａｔｉｃ  ｒｅｐｅａｔ  ｒｅｑｕｅｓｔ)ＡＣＫ(ａｃｋｎｏｗｌｅｄｇｅｍｅｎｔ)/ＮＡＣＫ(ｎｏｎ−ａｃｋｎｏｗｌｅｄｇｅｍｅｎｔ)、ダウンリンクチャネル状態を示すＣＱＩ(ｃｈａｎｎｅｌ  ｑｕａｌｉｔｙ  ｉｎｄｉｃａｔｏｒ)、アップリンク無線リソース割当要求であるＳＲ(ｓｃｈｅｄｕｌｉｎｇ  ｒｅｑｕｅｓｔ)などがある。
【０１０８】
ＰＵＳＣＨは、トランスポートチャネル(ｔｒａｎｓｐｏｒｔ  ｃｈａｎｎｅｌ)であるＵＬ−ＳＣＨにマッピングされる。ＰＵＳＣＨ上に送信されるアップリンクデータは、送信時間区間(ＴＴＩ)中に送信されるＵＬ−ＳＣＨのためのデータブロックであるトランスポートブロック(ｔｒａｎｓｐｏｒｔ  ｂｌｏｃｋ)である。前記トランスポートブロックは、ユーザ情報である。または、アップリンクデータは、多重化された(ｍｕｌｔｉｐｌｅｘｅｄ)データである。多重化されたデータは、ＵＬ−ＳＣＨのためのトランスポートブロックと制御情報が多重化されたものである。例えば、データに多重化される制御情報には、ＣＱＩ、ＰＭＩ(ｐｒｅｃｏｄｉｎｇ  ｍａｔｒｉｘ  ｉｎｄｉｃａｔｏｒ)、ＨＡＲＱ、ＲＩ(ｒａｎｋ  ｉｎｄｉｃａｔｏｒ)などがある。または、アップリンクデータは、制御情報のみで構成されることもできる。
【０１０９】
【０１１０】
以下、キャリアアグリゲーション(ｃａｒｒｉｅｒ  ａｇｇｒｅｇａｔｉｏｎ：ＣＡ)システムに対して説明する。
【０１１１】
キャリアアグリゲーションシステムは、複数のコンポーネントキャリア(ｃｏｍｐｏｎｅｎｔ  ｃａｒｒｉｅｒ：ＣＣ)をアグリゲーションするものを意味する。このようなキャリアアグリゲーションにより、既存のセルの意味が変更された。キャリアアグリゲーションによると、セルは、ダウンリンクコンポーネントキャリアとアップリンクコンポーネントキャリアとの組合せ、または単独のダウンリンクコンポーネントキャリアを意味する。
【０１１２】
また、キャリアアグリゲーションにおいて、セルは、プライマリセル(ｐｒｉｍａｒｙ  ｃｅｌｌ)、セカンダリセル(ｓｅｃｏｎｄａｒｙ  ｃｅｌｌ)、サービングセル(ｓｅｒｖｉｎｇ  ｃｅｌｌ)に区分されることができる。プライマリセルは、プライマリ周波数で動作するセルを意味し、ＵＥが基地局との最初接続確立過程(ｉｎｉｔｉａｌ  ｃｏｎｎｅｃｔｉｏｎ  ｅｓｔａｂｌｉｓｈｍｅｎｔ  ｐｒｏｃｅｄｕｒｅ)または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【０１１３】
前述したように、キャリアアグリゲーションシステムでは、単一搬送波システムと違って、複数のコンポーネントキャリア(ＣＣ)、即ち、複数のサービングセルをサポートすることができる。
【０１１４】
このようなキャリアアグリゲーションシステムは、交差搬送波スケジューリングをサポートすることができる。交差搬送波スケジューリング(ｃｒｏｓｓ−ｃａｒｒｉｅｒ  ｓｃｈｅｄｕｌｉｎｇ)は、特定コンポーネントキャリアを介して送信されるＰＤＣＣＨを介して他のコンポーネントキャリアを介して送信されるＰＤＳＣＨのリソース割当及び/または前記特定コンポーネントキャリアと基本的にリンクされているコンポーネントキャリア以外の他のコンポーネントキャリアを介して送信されるＰＵＳＣＨのリソース割当をすることができるスケジューリング方法である。
【０１１５】
図７は、単一搬送波システムとキャリアアグリゲーションシステムの比較例である。
【０１１６】
図７の(ａ)を参照すると、単一搬送波システムでは、アップリンクとダウンリンクに一つの搬送波のみをＵＥにサポートする。搬送波の帯域幅は多様であるが、ＵＥに割り当てられる搬送波は一つである。それに対し、図７の(ｂ)を参照すると、キャリアアグリゲーション(ｃａｒｒｉｅｒ  ａｇｇｒｅｇａｔｉｏｎ：ＣＡ)システムでは、ＵＥに複数のコンポーネントキャリア(ＤＬ  ＣＣ  Ａ乃至Ｃ、ＵＬ  ＣＣ  Ａ乃至Ｃ)が割り当てられることができる。コンポーネントキャリア(ｃｏｍｐｏｎｅｎｔ  ｃａｒｒｉｅｒ：ＣＣ)は、キャリアアグリゲーションシステムで使われる搬送波を意味し、搬送波と略称できる。例えば、ＵＥに６０ＭＨｚの帯域幅を割り当てるために、３個の２０ＭＨｚのコンポーネントキャリアが割り当てられることができる。
【０１１７】
キャリアアグリゲーションシステムは、アグリゲーションされる搬送波が連続する連続(ｃｏｎｔｉｇｕｏｕｓ)キャリアアグリゲーションシステムと、アグリゲーションされる搬送波が互いに離れている不連続(ｎｏｎ−ｃｏｎｔｉｇｕｏｕｓ)キャリアアグリゲーションシステムとに区分されることができる。以下、単純にキャリアアグリゲーションシステムという時、これはコンポーネントキャリアが連続な場合と不連続な場合を両方とも含むと理解しなければならない。ダウンリンクとアップリンクとの間にアグリゲーションされるコンポーネントキャリアの数は、異なるように設定されることができる。ダウンリンクＣＣ数とアップリンクＣＣ数が同じ場合を対称的(ｓｙｍｍｅｔｒｉｃ)アグリゲーションといい、その数が異なる場合を非対称的(ａｓｙｍｍｅｔｒｉｃ)アグリゲーションという。
【０１１８】
１個以上のコンポーネントキャリアをアグリゲーションする時、対象となるコンポーネントキャリアは、既存システムとの下位互換性(ｂａｃｋｗａｒｄ  ｃｏｍｐａｔｉｂｉｌｉｔｙ)のために、既存システムで使用する帯域幅をそのまま使用することができる。例えば、３ＧＰＰ  ＬＴＥシステムでは１.４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは前記３ＧＰＰ  ＬＴＥシステムの帯域幅のみを利用して２０ＭＨｚ以上の広帯域を構成することができる。または、既存システムの帯域幅をそのまま使用せずに、新しい帯域幅を定義して広帯域を構成することもできる。
【０１１９】
一方、キャリアアグリゲーションにおいて、特定セカンダリセルを介してパケット(ｐａｃｋｅｔ)データの送受信が行われるためには、ＵＥは、まず、特定セカンダリセルに対して設定(ｃｏｎｆｉｇｕｒａｔｉｏｎ)を完了しなければならない。ここで、設定(ｃｏｎｆｉｇｕｒａｔｉｏｎ)とは、該当セルに対するデータ送受信に必要なシステム情報受信を完了した状態を意味する。例えば、設定(ｃｏｎｆｉｇｕｒａｔｉｏｎ)は、データ送受信に必要な共通物理階層パラメータ、またはＭＡＣ(ｍｅｄｉａ  ａｃｃｅｓｓ  ｃｏｎｔｒｏｌ)階層パラメータ、またはＲＲＣ階層で特定動作に必要なパラメータを受信する全般の過程を含むことができる。設定完了したセルは、パケットデータが送信されることができるという情報のみ受信すると、直ちにパケットの送受信が可能になる状態である。
【０１２０】
設定完了状態のセルは、活性化(Ａｃｔｉｖａｔｉｏｎ)または非活性化(Ｄｅａｃｔｉｖａｔｉｏｎ)状態に存在できる。ここで、活性化は、データの送信または受信が行なわれ、または準備状態(ｒｅａｄｙ  ｓｔａｔｅ)にあることを意味する。ＵＥは、自分に割り当てられたリソース(周波数、時間など)を確認するために、活性化されたセルの制御チャネル(ＰＤＣＣＨ)及びデータチャネル(ＰＤＳＣＨ)をモニタリングまたは受信することができる。
【０１２１】
非活性化は、トラフィックデータの送信または受信が不可能であり、測定や最小情報の送信/受信が可能であることを意味する。ＵＥは、非活性化セルからパケット受信のために必要なシステム情報(Ｓｙｓｔｅｍ  Ｉｎｆｏｒｍａｔｉｏｎ：ＳＩ)を受信することができる。それに対し、ＵＥは、自分に割り当てられたリソース(周波数、時間など)を確認するために、非活性化されたセルの制御チャネル(ＰＤＣＣＨ)及びデータチャネル(ＰＤＳＣＨ)をモニタリングまたは受信しない。
【０１２２】
図８は、キャリアアグリゲーションシステムにおける交差搬送波スケジューリングを例示する。
【０１２３】
図８を参照すると、基地局は、ＰＤＣＣＨモニタリングＤＬ  ＣＣ(モニタリングＣＣ)セットを設定することができる。ＰＤＣＣＨモニタリングＤＬ  ＣＣセットは、アグリゲーションされた全体ＤＬ  ＣＣのうち一部ＤＬ  ＣＣで構成され、交差搬送波スケジューリングが設定されると、ＵＥは、ＰＤＣＣＨモニタリングＤＬ  ＣＣセットに含まれているＤＬ  ＣＣに対してのみＰＤＣＣＨモニタリング/復号を実行する。即ち、基地局は、ＰＤＣＣＨモニタリングＤＬ  ＣＣセットに含まれているＤＬ  ＣＣを介してのみスケジューリングしようとするＰＤＳＣＨ/ＰＵＳＣＨに対するＰＤＣＣＨを送信する。ＰＤＣＣＨモニタリングＤＬ  ＣＣセットは、ＵＥ特定的(ＵＥ−ｓｐｅｃｉｆｉｃ)、ＵＥグループ特定的(ＵＥ  ｇｒｏｕｐ−ｓｐｅｃｉｆｉｃ)、またはセル特定的(ｃｅｌｌ−ｓｐｅｃｉｆｉｃ)に設定されることができる。
【０１２４】
図８では、３個のＤＬ  ＣＣ(ＤＬ  ＣＣ  Ａ、ＤＬ  ＣＣ  Ｂ、ＤＬ  ＣＣ  Ｃ)がアグリゲーションされ、ＤＬ  ＣＣ  ＡがＰＤＣＣＨモニタリングＤＬ  ＣＣに設定された例を示す。ＵＥは、ＤＬ  ＣＣ  ＡのＰＤＣＣＨを介してＤＬ  ＣＣ  Ａ、ＤＬ  ＣＣ  Ｂ、ＤＬ  ＣＣ  ＣのＰＤＳＣＨに対するＤＬグラントを受信することができる。ＤＬ  ＣＣ  ＡのＰＤＣＣＨを介して送信されるＤＣＩにはＣＩＦが含まれてどのＤＬ  ＣＣに対するＤＣＩであるかを示すことができる。
【０１２５】
【０１２６】
一方、ＬＴＥ/ＬＴＥ−Ａシステムでは、セル探索過程(Ｃｅｌｌ  Ｓｅａｒｃｈ  Ｐｒｏｃｅｄｕｒｅ)で同期信号(ＳＳ：Ｓｙｎｃｈｒｏｎｉｚａｔｉｏｎ  Ｓｉｇｎａｌ)を介してセルとの同期が取得されるようになる。
【０１２７】
以下、図面を参照して同期信号に対して詳細に説明する。
【０１２８】
【０１２９】
図９ａ及び図９ｂは、各々、基本ＣＰ(Ｎｏｒｍａｌ  ＣＰ)及び拡張ＣＰ(Ｅｘｔｅｎｄｅｄ  ＣＰ)での同期信号送信のためのフレーム構造を示す。
【０１３０】
図９ａ及び図９ｂを参照すると、同期信号(ＳＳ)は、ｉｎｔｅｒ−ＲＡＴ  ｍｅａｓｕｒｅｍｅｎｔの容易のために、ＧＳＭ（登録商標）フレーム長さである４.６ｍｓを考慮してサブフレーム０番とサブフレーム５番の２番目のスロットで各々送信され、該当ラジオフレームに対する境界は、Ｓ−ＳＳ(ｓｅｃｏｎｄａｒｙ  ｓｙｎｃｈｒｏｎｉｚａｔｉｏｎ  ｓｉｇｎａｌ)を介して検出可能である。
【０１３１】
Ｐ−ＳＳ(ｐｒｉｍａｒｙ  ｓｙｎｃｈｒｏｎｉｚａｔｉｏｎ  ｓｉｇｎａｌ)は、該当スロットの最後のＯＦＤＭシンボルで送信され、Ｓ−ＳＳは、Ｐ−ＳＳ直前のＯＦＤＭシンボルで送信される。
【０１３２】
同期信号(ＳＳ)は、３個のＰ−ＳＳと１６８個のＳ−ＳＳとの組合せを介して総５０４個の物理階層セル識別子(ｐｈｙｓｉｃａｌ  ｃｅｌｌ  ＩＤ)を送信することができる。
【０１３３】
また、同期信号(ＳＳ)及びＰＢＣＨは、システム帯域幅内の中間部分の６ＲＢ内で送信され、送信帯域幅に関係なくユーザ装置(ＵＥ)が検出または復号できるようにする。
【０１３４】
同期信号(ＳＳ)の送信ダイバーシティ方式は、単一アンテナポート(ｓｉｎｇｌｅ  ａｎｔｅｎｎａ  ｐｏｒｔ)のみを使用し、標準では別に定義しない。
【０１３５】
即ち、単一アンテナ送信またはユーザ装置(ＵＥ)に透明な(ｔｒａｎｓｐａｒｅｎｔ)送信方式(例えば、ＰＶＳ、ＴＳＴＤ、ＣＤＤ)が使われることができる。
【０１３６】
【０１３７】
−Ｐ−ＳＳの符号
【０１３８】
Ｐ−ＳＳは、長さ６３のＺＣ(Ｚａｄｏｆｆ−Ｃｈｕ)シーケンスを周波数領域で定義してＰ−ＳＳのシーケンスとして使用する。
【０１３９】
ＺＣシーケンスは、以下のような数式１により定義され、ＤＣ副搬送波に該当するシーケンス要素(ｅｌｅｍｅｎｔ)、ｎ＝３１はパンクチャリング(ｐｕｎｃｔｕｒｉｎｇ)する。
【０１４０】
中間部分の６ＲＢ(＝７２副搬送波)のうち９個の残る副搬送波は、常に０の値に送信し、同期実行のためのフィルタ設計を容易にする。
【０１４１】
【数１】
0006297163.tif 000007
【０１４２】
ここで、Ｎｚｃ＝６３、ｎはシーケンス要素(ｅｌｅｍｅｎｔ)であり、総３個のＰ−ＳＳを定義するために、ｕは、２５、２９、そして３４の値を使用する。
【０１４３】
このとき、２９と３４は、共役対称(ｃｏｎｊｕｇａｔｅ  ｓｙｍｍｅｔｒｙ)関係を有しており、２個の相関(ｃｏｒｒｅｌａｔｉｏｎ)を同時に実行することができる。
【０１４４】
ここで、共役対称は、以下の数式２のような関係を意味し、この特性を利用してｕ＝２９と３４に対するワンショット相関器(ｏｎｅ−ｓｈｏｔ  ｃｏｒｒｅｌａｔｏｒ)の具現が可能であるため、全体的な演算量を約３３.３％減少させることができる。
【０１４５】
【数２】
0006297163.tif 000008
【０１４６】
−Ｓ−ＳＳの符号
【０１４７】
Ｓ−ＳＳのために使われるシーケンスは、長さ３１の二つのｍ−シーケンスをインタリービングされた接合を介して生成され、二つのシーケンスを組合せて１６８セルグループ識別子(ｃｅｌｌ  ｇｒｏｕｐ  ＩＤ)が送信される。
【０１４８】
Ｓ−ＳＳのシーケンスとしてｍ−シーケンスは、周波数選択的な環境で強く、高速アダマール変換(Ｆａｓｔ  Ｈａｄａｍａｒｄ  Ｔｒａｎｓｆｏｒｍ)を利用した高速ｍ−シーケンス変換に演算量が減ることができる。また、二つの短い符号(ｓｈｏｒｔ  ｃｏｄｅ)でＳ−ＳＳを構成することは、端末の演算量を減らすために提案された。
【０１４９】
【０１５０】
図１０は、論理領域での二つのシーケンスが物理領域でインタリービングされてマッピングされるものを示す。
【０１５１】
図１０を参照すると、Ｓ−ＳＳ符号生成のために使われる二つのｍ−シーケンスを各々Ｓ１、Ｓ２と定義する時、サブフレーム０のＳ−ＳＳが(Ｓ１,Ｓ２)の二つの組合せでセルグループ識別子を送信する場合、サブフレーム５のＳ−ＳＳは(Ｓ２,Ｓ１)に交換(ｓｗａｐｐｉｎｇ)して送信することによって、１０ｍｓフレーム境界を区分することができるようになる。
【０１５２】
このとき、使われるＳ−ＳＳ符号は、ｘ５＋ｘ２＋１の生成多項式を使用し、互いに異なる循環シフト(ｃｉｒｃｕｌａｒ  ｓｈｉｆｔ)を介して総３１個の符号を生成することができる。
【０１５３】
受信性能を向上させるために、Ｐ−ＳＳベース(Ｐ−ＳＳ−ｂａｓｅｄ)の互いに異なる二つのシーケンスを定義し、Ｓ−ＳＳにスクランブリングし、Ｓ１とＳ２に互いに異なるシーケンスでスクランブリングできる。
【０１５４】
以後、Ｓ１ベース(Ｓ１−ｂａｓｅｄ)のスクランブリング符号を定義し、Ｓ２にスクランブリングを実行する。
【０１５５】
このとき、Ｓ−ＳＳの符号は、５ｍｓ単位に交換されるが、Ｐ−ＳＳベースのスクランブリング符号は交換されない。
【０１５６】
Ｐ−ＳＳベースのスクランブリング符号は、ｘ５＋ｘ３＋１の生成多項式から生成されたｍ−シーケンスでＰ−ＳＳインデックスによって６個の循環シフトバージョンに定義され、Ｓ１ベースのスクランブリング符号は、ｘ５＋ｘ４＋ｘ２＋ｘ１＋１の多項式から生成されたｍ−シーケンスでＳ１のインデックスによって８個の循環シフトバージョンに定義される。
【０１５７】
【０１５８】
一方、ＬＴＥ/ＬＴＥ−Ａシステムでは、無線チャネル(即ち、周波数選択的なチャネル、ｆｒｅｑｕｅｎｃｙ  ｓｅｌｅｃｔｉｖｅ  ｃｈａｎｎｅｌ)を介してデータを受信するために(または、復調するために)チャネル推定が必要であり、チャネル推定のために参照信号(ＲＳ：Ｒｅｆｅｒｅｎｃｅ  Ｓｉｇｎａｌ)が使われる。
【０１５９】
前記参照信号(ＲＳ)は、復調(ｄｅｍｏｄｕｌａｔｉｏｎ)のための参照信号とチャネル測定(ｃｈａｎｎｅｌ  ｍｅａｓｕｒｅｍｅｎｔ)のための参照信号とに２種類に区分されることができる。
【０１６０】
また、参照信号(ＲＳ)は、ＤＲＳ(ｄｅｄｉｃａｔｅｄ  ＲＳ)及びＣＲＳ(ｃｏｍｍｏｎ  ＲＳ)に区分されることができる。ここで、ＤＲＳは、特定ユーザ装置(ＵＥ)に知られた参照信号であって、ＵＥ−特定参照信号(ＵＥ−ｓｐｅｃｒｆｉｃ  ＲＳ)であり、ＣＲＳは、全てのユーザ装置に知られた参照信号であり、セル−特定参照信号(Ｃｅｌｌ−ｓｐｅｃｒｆｉｃ  ＲＳ)である。
【０１６１】
また、チャネル状態推定のために、ＣＲＳと別途にＣＳＩ−ＲＳ(ｃｈａｎｎｅｌ  ｓｔａｔｕｓ  ｉｎｆｏｒｍａｔｉｏｎ−ｒｅｆｅｒｅｎｃｅ  ｓｉｇｎａｌ)が定義されている。
【０１６２】
以下、図面を参照して参照信号に対して詳細に説明する。
【０１６３】
【０１６４】
図１１は、３ＧＰＰ  ＬＴＥのＤＬサブフレームで基準信号と制御チャネルが配置される例を示す。
【０１６５】
図１１を参照すると、制御領域(または、ＰＤＣＣＨ領域)は、前方部の３個のＯＦＤＭシンボルを含み、ＰＤＳＣＨが送信されるデータ領域は、残りのＯＦＤＭシンボルを含む。
【０１６６】
制御領域内では、ＰＣＦＩＣＨ、ＰＨＩＣＨ及び/またはＰＤＣＣＨが送信される。ＰＣＦＩＣＨのＣＦＩは、３個のＯＦＤＭシンボルを示す。制御領域で、ＰＣＦＩＣＨ及び/またはＰＨＩＣＨが送信されるリソースを除外した領域がＰＤＣＣＨをモニタリングするＰＤＣＣＨ領域になる。
【０１６７】
また、サブフレームには多様な基準信号(ｒｅｆｅｒｅｎｃｅ  ｓｉｇｎａｌ)が送信される。
【０１６８】
ＣＲＳ(ｃｅｌｌ−ｓｐｅｃｉｆｉｃ  ｒｅｆｅｒｅｎｃｅ  ｓｉｇｎａｌ)は、セル内の全ての無線機器が受信することができ、全てのダウンリンク帯域にわたって送信される。図面において、‘Ｒ０’は、第１のアンテナポートに対するＣＲＳが送信されるＲＥ(ｒｅｓｏｕｒｃｅ  ｅｌｅｍｅｎｔ)を示し、‘Ｒ１’は、第２のアンテナポートに対するＣＲＳが送信されるＲＥを示し、‘Ｒ２’は、第３のアンテナポートに対するＣＲＳが送信されるＲＥを示し、‘Ｒ３’は、第４のアンテナポートに対するＣＲＳが送信されるＲＥを示す。
【０１６９】
ＣＲＳのためのＲＳシーケンスｒｌ、ｎｓ(ｍ)は、以下のように定義される。
【０１７０】
【０１７１】
【数３】
0006297163.tif 000009
【０１７２】
ここで、ｍ＝０,１,...,２ＮｍａｘＲＢ−１、ＮｍａｘＲＢはＲＢの最大個数であり、ｎｓは無線フレーム内のスロット番号であり、ｌはスロット内のＯＦＤＭシンボル番号である。
【０１７３】
疑似乱数シーケンス(ｐｓｅｕｄｏ−ｒａｎｄｏｍ  ｓｅｑｕｅｎｃｅ)ｃ(ｉ)は、以下のような長さ３１のゴールド(Ｇｏｌｄ)シーケンスにより定義される。
【０１７４】
【数４】
0006297163.tif 000010
【０１７５】
ここで、Ｎｃ＝１６００、１番目のｍ−シーケンスはｘ１(０)＝１、ｘ１(ｎ)＝０、ｍ＝１,２,...,３０に初期化される。
【０１７６】
２番目のｍ−シーケンスは、各ＯＦＤＭシンボルの初めでｃｉｎｉｔ＝２１０(７(ｎｓ＋１)＋ｌ＋１)(２ＮｃｅｌｌＩＤ＋１)＋２ＮｃｅｌｌＩＤ＋ＮＣＰで初期化される。ＮｃｅｌｌＩＤは、セルのＰＣＩ(ｐｈｙｓｉｃａｌ  ｃｅｌｌ  ｉｄｅｎｔｉｔｙ)であり、正規ＣＰでＮＣＰ＝１であり、拡張ＣＰでＮＣＰ＝０である。
【０１７７】
サブフレームには、ＵＲＳ(ＵＥ−ｓｐｅｃｉｆｉｃ  Ｒｅｆｅｒｅｎｃｅ  Ｓｉｇｎａｌ)が送信される。ＣＲＳがサブフレームの全領域で送信されるが、ＵＲＳは、サブフレームのデータ領域内で送信され、対応するＰＤＳＣＨの復調に使われる。図面において、‘Ｒ５’は、ＵＲＳが送信されるＲＥを示す。ＵＲＳは、ＤＲＳ(ｄｅｄｉｃａｔｅｄ  Ｒｅｆｅｒｅｎｃｅ  Ｓｉｇｎａｌ)またはＤＭ−ＲＳ(Ｄｅｍｏｄｕｌａｔｉｏｎ  Ｒｅｆｅｒｅｎｃｅ  Ｓｉｇｎａｌ)とも呼ばれる。
【０１７８】
ＵＲＳは、対応するＰＤＳＣＨがマッピングされるＲＢでのみ送信される。図面にはＰＤＳＣＨが送信される領域外にもＲ５が表示されているが、これはＵＲＳがマッピングされるＲＥの位置を示すためである。
【０１７９】
ＵＲＳは、対応するＰＤＳＣＨを受信する無線機器のみを使用する。ＵＲＳのためのＲＳシーケンスｒｎｓ(ｍ)は、数式３と同じである。このとき、ｍ＝０、１,...,１２ＮＰＤＳＣＨ,ＲＢ−１であり、ＮＰＤＳＣＨ,ＲＢは、対応するＰＤＳＣＨ送信のＲＢ個数である。疑似乱数シーケンス生成器は、各サブフレームの初めでｃｉｎｉｔ＝(ｆｌｏｏｒ(ｎｓ/２)＋１)(２ＮｃｅｌｌＩＤ＋１)２１６＋ｎＲＮＴＩで初期化される。ｎＲＮＴＩは、無線機器の識別子である。
【０１８０】
前記はＵＲＳが単一アンテナを介して送信される場合であり、ＵＲＳが多重アンテナを介して送信される時、疑似乱数シーケンス生成器は、各サブフレームの初めでｃｉｎｉｔ＝(ｆｌｏｏｒ(ｎｓ/２)＋１)(２ＮｃｅｌｌＩＤ＋１)２１６＋ｎＳＣＩＤで初期化される。ｎＳＣＩＤは、ＰＤＳＣＨ送信と関連したＤＬグラント(例えば、ＤＣＩフォーマット２Ｂまたは２Ｃ)から得られるパラメータである。
【０１８１】
一方、ＣＲＳに対するリソース要素(ＲＥ：Ｒｅｓｏｕｒｃｅ  Ｅｌｅｍｅｎｔ)乃至リソースブロック(ＲＢ：Ｒｅｓｏｕｒｃｅ  Ｂｌｏｃｋ)へのマッピング規則は、以下のような数式５の通りである。
【０１８２】
【数５】
0006297163.tif 000011
【０１８３】
ここで、ｖ及びｖｓｈｉｆｔ(Ｖ−ｓｈｉｆｔ値)は、互いに異なる参照信号に対する周波数領域での位置に定義される。
【０１８４】
セル−特定周波数移動(ｃｅｌｌ−ｓｐｅｃｉｆｉｃ  ｆｒｅｑｕｅｎｃｙ  ｓｈｉｆｔ、またはｖ−ｓｈｉｆｔ移動)は、前記ｖｓｈｉｆｔによって与えられる(決定される)。
【０１８５】
また、ＤＲＳに対するリソース要素(ＲＥ：Ｒｅｓｏｕｒｃｅ  Ｅｌｅｍｅｎｔ)乃至リソースブロック(ＲＢ：Ｒｅｓｏｕｒｃｅ  Ｂｌｏｃｋ)へのマッピング規則は、以下のような数式６の通りである。
【０１８６】
【数６】
0006297163.tif 000012
【０１８７】
ここで、ｍ’は、ＰＤＳＣＨ送信の該当ＯＦＤＭシンボル内でＵＥ−特定参照信号リソース要素のカウンタであり、ｋ及びｐは、副搬送波インデックス(ｓｕｂｃａｒｒｉｅｒ  ｉｎｄｅｘ)であり、ＮＲＢＤＬ、ｎｓ及びＮＩＤｃｅｌｌは、各々、ＤＬに割り当てられたＲＢ個数、スロットインデックス及びセルＩＤを示す。
【０１８８】
【０１８９】
図１２は、ＣＳＩ−ＲＳマッピングの一例を示す。
【０１９０】
チャネル状態推定のためにＣＲＳと別途にＣＳＩ−ＲＳ(ｃｈａｎｎｅｌ  ｓｔａｔｕｓ  ｉｎｆｏｒｍａｔｉｏｎ−ｒｅｆｅｒｅｎｃｅ  ｓｉｇｎａｌ)が定義されている。ＣＳＩ−ＲＳは、ＣＲＳと違って、多重セル環境でセル間干渉(ｉｎｔｅｒ−ｃｅｌｌ  ｉｎｔｅｒｆｅｒｅｎｃｅ)を減らすために最大３２個の互いに異なる設定が存在する。
【０１９１】
ＣＳＩ−ＲＳに対する設定は、セル内のアンテナポート数によって互いに異なり、隣接セル間に最大限互いに異なる設定になるように与えられる。ＣＳＩ−ＲＳは、ＣＰタイプによって区分され、フレーム構造タイプ(フレーム構造タイプ１はＦＤＤ、フレーム構造タイプ２はＴＤＤ)によって、フレーム構造タイプ１及びフレーム構造タイプ２の両方ともに適用される設定と、フレーム構造タイプ２にのみ適用される設定とに区分される。
【０１９２】
ＣＳＩ−ＲＳは、最大８アンテナポートまでサポートし、アンテナポートｐは、{１５}、{１５,１６}、{１５,１６,１７,１８}、{１５,...,２２}がサポートされる。即ち、１個、２個、４個、８個のアンテナポートをサポートする。
【０１９３】
ＣＳＩ−ＲＳのためのＲＳシーケンスｒｎｓ(ｍ)は、数式１と同じである。このとき、疑似乱数シーケンス生成器は、各ＯＦＤＭシンボルの初めでｃｉｎｉｔ＝２１０(７(ｎｓ＋１)＋ｌ＋１)(２ＮｃｓｉＩＤ＋１)＋２ＮｃｓｉＩＤ＋ＮＣＰで初期化される。ＮｃｓｉＩＤは、別途に設定されない場合、ＮｃｅｌｌＩＤと同じである。正規ＣＰでＮＣＰ＝１であり、拡張ＣＰでＮＣＰ＝０である。
【０１９４】
ＣＳＩ−ＲＳを送信するように設定されたサブフレームで、基準信号シーケンスｒｎｓ(ｍ)は、アンテナポートｐに対する基準シンボルとして使われる複素値変調シンボルａｋ,ｌ(ｐ)に以下の数式のようにマッピングされる。
【０１９５】
【数７】
0006297163.tif 000013
【０１９６】
前記数式において、(ｋ’,ｌ’)とｎｓは、後述する表５で与えられることができる。ＣＳＩ−ＲＳは、(ｎｓ  ｍｏｄ２)が後述する表１の条件を満たすダウンリンクスロットで送信されることができる。
【０１９７】
以下の表は、ノーマルＣＰに対するＣＳＩ−ＲＳ設定の一例を示す。
【０１９８】
【表５−１】
0006297163.tif 000014
【表５−２】
0006297163.tif 000015
【０１９９】
【０２００】
ＣＳＩ−ＲＳを含むサブフレームは、以下の数式を満たす。
【０２０１】
【数８】
0006297163.tif 000016
【０２０２】
ここで、ｎｆは、システムフレームナンバーであり、△ＳＩ−ＲＳとＴＣＳＩ−ＲＳは、ＣＳＩ−ＲＳサブフレーム設定によって以下のように与えられる。
【０２０３】
【表６】
0006297163.tif 000017
【０２０４】
【０２０５】
‘ＣＳＩ−ＲＳ−ＳｕｂｆｒａｍｅＣｏｎｆｉｇ’ＩＣＳＩ−ＲＳは、上位階層により与えられる値であって、ＣＳＩ−ＲＳサブフレーム設定を示す。ＴＣＳＩ−ＲＳは、セル特定的サブフレーム設定周期を示し、ＣＳＩ−ＲＳは、セル特定的サブフレームオフセットを示す。ＣＳＩ−ＲＳは、ＣＳＩフィードバックによって５つのデューティサイクルをサポートし、各セルで互いに異なるサブフレームオフセットを有して送信されることができる。
【０２０６】
図１２の例において、２個のアンテナポート、例えば、ｐ＝{１５,１６}、{１７,１８}、{１９,２０}、{２１,２２}に対して連続する２個の同じリソース要素を使用してＣＳＩ−ＲＳが送信され、ＯＣＣ(ｏｒｔｈｏｇｏｎａｌ  ｃｏｖｅｒ  ｃｏｄｅ)を使用して送信する。各ＣＳＩ−ＲＳは、ＣＳＩ−ＲＳ設定によって無線リソース領域で特定パターンを有して割り当てられる。このような意味で、該当アンテナポートでのＣＳＩ−ＲＳのための無線リソース設定はＣＳＩ−ＲＳパターンとも呼ばれる。
【０２０７】
セットＳの任意のアンテナポートに対するＣＳＩ−ＲＳの送信に使われるリソース要素(ｋ,ｌ)は、同じスロットで任意のアンテナポートに対するＰＤＳＣＨの送信に使われない。また、前記リソース要素(ｋ,ｌ)は、同じスロットで前記Ｓを除外した他の任意のアンテナポートに対するＣＳＩ−ＲＳ送信に使われない。ここで、セットＳに含まれるアンテナポートは、{１５,１６}、{１７,１８}、{１９,２０}、{２１,２２}である。
【０２０８】
【０２０９】
一方、ＰＲＳ(Ｐｏｓｉｔｉｏｎｉｎｇ  ｒｅｆｅｒｅｎｃｅ  ｓｉｇｎａｌ)のシーケンスは、以下のような数式に定義される。
【０２１０】
【数９】
0006297163.tif 000018
【０２１１】
ここで、ｎｓは、一つのラジオフレーム内のスロットナンバーであり、ｌは、前記スロット内のＯＦＤＭシンボルナンバーであり、ｃ(ｉ)は、数式４に定義された疑似乱数シーケンス(ｐｓｅｕｄｏ−ｒａｎｄｏｍ  ｓｅｑｕｅｎｃｅ)である。
【０２１２】
一方、ＰＲＳに対するリソース要素(ＲＥ：Ｒｅｓｏｕｒｃｅ  Ｅｌｅｍｅｎｔ)乃至リソースブロック(ＲＢ：Ｒｅｓｏｕｒｃｅ  Ｂｌｏｃｋ)へのマッピング規則は、以下のような数式１０の通りである。
【０２１３】
【数１０】
0006297163.tif 000019
【０２１４】
ここで、ＮＲＢＰＲＳは、上位階層により設定される。
【０２１５】
【０２１６】
<スモールセルクラスタ環境>
【０２１７】
一方、既存ＬＴＥ−Ａ  ｓｙｓｔｅｍでは、複数個のコンポーネントキャリア(ＣＣ：ｃｏｍｐｏｎｅｎｔ  ｃａｒｒｉｅｒ)をアグリゲーション(ａｇｇｒｅｇａｔｉｏｎ)して使用する時、データ送信及びセル識別子(Ｃｅｌｌ  ＩＤ)の取得、システム情報(ｓｙｓｔｅｍ  ｉｎｆｏｒｍａｔｉｏｎ)の送信、物理的制御信号の送信が可能で単独ＣＣに接続、制御信号及びデータ送受信が可能なＰｒｉｍａｒｙ  ＣＣ(ＰＣＣ、Ｐｃｅｌｌ)が存在し、このようなＰＣＣと共にアグリゲーションされることによってデータの送受信が可能なＳｅｃｏｎｄａｒｙ  ＣＣ(ＳＣＣ、Ｓｃｅｌｌ)で構成できる。
【０２１８】
既存ＬＴＥ−Ａ  ｓｙｓｔｅｍでは、複数個のＣＣを介して送信された複数ダウンリンク(ＤＬ：ｄｏｗｎｌｉｎｋ)データに対するＡＣＫ/ＮＡＣＫをＰＣＣを介してのみ送信する方式を使用する。
【０２１９】
ＬＴＥ−Ａの次期システムでは、複数のスモールセル(ｓｍａｌｌ  ｃｅｌｌ)または小規模セル(ｓｍａｌｌ−ｓｃａｌｅｄ  ｃｅｌｌ)を構築する環境または複数のスモールセルとマクロセル(ｍａｃｒｏ  ｃｅｌｌ)を混用する環境を考慮している。このとき、スモールセルは、特定ユーザ装置(ＵＥ)のＰｃｅｌｌとして使われることもでき、該当ｓｍａｌｌ  ｃｅｌｌは、Ｓｃｅｌｌとしてのみ使われることもできる。
【０２２０】
即ち、前記複数のスモールセルとマクロセル(ｍａｃｒｏ  ｃｅｌｌ)を混用する環境は、クラスタ単位にグループ化された複数の小規模セル(Ｓｍａｌｌ−ｓｃａｌｅｄ  Ｃｅｌｌｓ)を含む環境を意味する。
【０２２１】
具体的に、室内及び室外に配置されたホットスポット(ｈｏｔｓｐｏｔ)等、移動トラフィックの増加に対処するために、低電力ノード(ｌｏｗ  ｐｏｗｅｒ  ｎｏｄｅｓ)を利用するスモールセルが考慮されている。
【０２２２】
ここで、低電力ノードは、一般的に、マクロノード及び基地局(ＢＳ)クラス(Ｃｌａｓｓｅｓ)より低い送信電力(Ｔｘ  ｐｏｗｅｒ)を有するノードを意味する。
【０２２３】
Ｅ−ＵＴＲＡ  ａｎｄ  Ｅ−ＵＴＲＡＮのためのスモールセルの改善事項は、低電力ノードを使用する室内及び室外のホットスポット地域で改善された性能を保障するための追加的な機能に焦点を合わせている。
【０２２４】
効率的なスモールセル動作を保障するためのメカニズムは、下記のような事項を含む。
【０２２５】
−変化するトラフィックに適応するスモールセル間の干渉回避(ｉｎｔｅｒｆｅｒｅｎｃｅ  ａｖｏｉｄａｎｃｅ)及び干渉コーディネーション(ｉｎｔｅｒｆｅｒｅｎｃｅ  ｃｏｏｒｄｉｎａｔｉｏｎ)のためのスモールセルのオン/オフメカニズム(ｏｎ/ｏｆｆ  ｍｅｃｈａｎｉｓｍｓ)の導入。ここで、セルをオンまたはオフするメカニズム、必要な測定及び過程が特定される必要がある。
【０２２６】
□ＤＬ/ＵＬの探索信号(または、ディスカバリ信号：ｄｉｓｃｏｖｅｒｙ  ｓｉｇｎａｌ)または同じ適応を容易にする物理信号
【０２２７】
□柔軟なタイムスケールのシフトを減少させる改善された過程
【０２２８】
□コーディネーテッドネットワーク意思決定のための向上された過程、測定及びネットワークｌｏａｄ/ｕｔｉｌｉｚａｔｉｏｎメトリクス(ｍｅｔｒｉｃｓ)
【０２２９】
□ノート：一つ以上のコンポーネントキャリアが存在する時、スモールセルは、一つのコンポーネントキャリアも参照できる。
【０２３０】
−スモールセルのオン/オフメカニズムを考慮し、一つの短い時間周期内に単一または多重搬送波で動作する適当な数のスモールセルを探すためのユーザ装置(ＵＥｓ)に対する効率的なディスカバリ過程の導入。
【０２３１】
−スモールセルとオーバーレイされたマクロセル(ｏｖｅｒｌａｉｄ  ｍａｃｒｏ  ｃｅｌｌ)との間の同期、同じスモールセルグループまたはスモールセルクラスタ(ｓｍａｌｌ  ｃｅｌｌ  ｃｌｕｓｔｅｒ)内に存在するスモールセル間の同期及びスモールセルクラスタ間の同期を達成するためのインターセル同期(ｉｎｔｅｒ−ｃｅｌｌ  ｓｙｎｃｈｒｏｎｉｚａｔｉｏｎ、例えば、ｎｅｔｗｏｒｋ  ｌｉｓｔｅｎｉｎｇ  ａｎｄ  ＵＥ  ａｓｓｉｓｔｅｄ  ｓｙｎｃｈｒｏｎｉｚａｔｉｏｎ)ベースのラジオインターフェース(ｒａｄｉｏ  ｉｎｔｅｒｆａｃｅ)のためのメカニズムの導入。
【０２３２】
図１３ａ及び図１３ｂは、複数のスモールセルを含むスモールセルクラスタ環境の例示を示す。
【０２３３】
図１３ａ及び図１３ｂを参照すると、複数個のスモールセルは、スモールセルグループまたはスモールセルクラスタ(ｓｍａｌｌ  ｃｅｌｌ  ｃｌｕｓｔｅｒ)をなして存在できる。
【０２３４】
このようなスモールセルクラスタは、図１３ａに示すようにマクロセルのカバレッジの内に存在することもでき、図１３ｂに示すようにマクロセルのカバレッジの外に独立的に存在することもできる。このとき、同じクラスタ内に存在するスモールセルは、全てが同じ搬送波周波数(ｃａｒｒｉｅｒ  ｆｒｅｑｕｅｎｃｙ)を有して動作できる。
【０２３５】
<本明細書の開示>
【０２３６】
Ｉ．本明細書の第１の開示：ディスカバリ信号または探索信号の導入及び信号の特性
【０２３７】
一方、本明細書の第１の開示は、スモールセルまたは小規模セルではより密集して位置するスモールセルまたは小規模セルをユーザ装置(ＵＥ)がより効率的に探すことができるようにするために、既存のＰＳＳ/ＳＳＳ外に新しい探索信号乃至ディスカバリ信号(ＤＳ：ｄｉｓｃｏｖｅｒｙ  ｓｉｇｎａｌ)を作成して送信することを提案する(前述したスモールセルのオン/オフメカニズムを考慮し、一つの短い時間周期内に単一または多重搬送波で動作する適当な数のスモールセルを探すためのユーザ装置(ＵＥｓ)に対する効率的なディスカバリ過程の導入)。
【０２３８】
即ち、スモールセル環境では、前記新しい探索信号乃至ディスカバリ信号(ＤＳ)を利用したセル探索過程(Ｃｅｌｌ  Ｓｅａｒｃｈ  Ｐｒｏｃｅｄｕｒｅ)またはセルディスカバリ過程(Ｃｅｌｌ  Ｄｉｓｃｏｖｅｒｙ  Ｐｒｏｃｅｄｕｒｅ)の導入が必要である。
【０２３９】
前記新しい探索信号乃至ディスカバリ信号(ＤＳ)は、新しい種類の信号であって、一回の送信時、複数のサブフレームにわたって送信され、長い周期で周期的に送信される信号を意味する。
【０２４０】
ここで、前記長い周期の信号(新しい探索信号乃至ディスカバリ信号(ＤＳ))は、一回の送信時、複数のサブフレームにわたって束に送信される。
【０２４１】
前記長い周期は、５０[ｍｓｅｃ]以上の長い周期(例えば、２００[ｍｓｅｃ])を意味する。
【０２４２】
スモールセルは、基地局(ｅＮＢ)が活性化された(ａｃｔｉｖｅ)ユーザ装置(ＵＥ)がなくて送信を止めた場合であり、またはあるパターンに基づいてセルのオン/オフを実行することができる。
【０２４３】
このような仮定下に、ＰＳＳ/ＳＳＳ/ＣＲＳまたはＣＳＩ−ＲＳに基づく探索信号またはディスカバリ信号(ＤＳ：ｄｉｓｃｏｖｅｒｙ  ｓｉｇｎａｌ)は、Ｔ[ｍｓｅｃ]毎に送信されることができる。例えば、前記Ｔは、２００である。
【０２４４】
このような探索信号またはディスカバリ信号(ＤＳ)は、セルがオフ状態(ｏｆｆ  ｓｔａｔｅ)にある場合にのみ周期的に送信されることもでき、またはオン/オフ状態に関係なく常に周期的に送信されることもできる。
【０２４５】
即ち、前記信号(探索信号またはディスカバリ信号)は、クラスタ単位にグループ化された複数の小規模セルのうち任意小規模セルから受信される信号であって、前記任意小規模セルがオフ状態である場合にも受信され、前記任意小規模セルのオフ状態では前記信号外の他の信号は受信されない。
【０２４６】
【０２４７】
以下、説明の便宜のために前記探索信号またはディスカバリ信号(ＤＳ)をディスカバリ信号という。しかし、本発明の権利範囲は、その名称に限定されるものではなく、前記探索信号乃至ディスカバリ信号に対して多様な名称が使用または適用可能であることが本技術分野の当業者に自明である。
【０２４８】
図１４は、本明細書の第１の開示による探索信号乃至ディスカバリ信号の特性を示す例示図である。
【０２４９】
図１４を参照すると、ディスカバリ信号は、特定サブフレーム持続期間(ｓｕｂｆｒａｍｅ  ｄｕｒａｔｉｏｎ)、持続時間または持続区間に送信されることができ、このようなサブフレーム持続区間乃至持続時間は、特徴的に１サブフレーム(１ｍｓｅｃ)である。
【０２５０】
本明細書の開示では、このようなディスカバリ信号が一回送信される時、送信される持続期間(ｄｕｒａｔｉｏｎ)をＤＳ持続期間(ＤＳ  ｄｕｒａｔｉｏｎ)、ＤＳ持続時間またはＤＳ持続区間という。
【０２５１】
また、ディスカバリ信号は、特定周期(例えば、２００ｍｓｅｃ)に一回ずつ周期的に送信されることができる。
【０２５２】
本明細書の開示では、このようなディスカバリ信号が送信される周期をＤＳ周期(ＤＳｐｅｒｉｏｄ)という。
【０２５３】
また、本明細書の開示では、ディスカバリ信号の送信が開始される地点を示すための(サブフレーム)オフセット(ｏｆｆｓｅｔ)値をＤＳオフセット(ＤＳ  ｏｆｆｓｅｔ)という。
【０２５４】
前記ＤＳオフセットは、前記ディスカバリ信号が開始される地点を指示するサーフフレームナンバーを示すことができる。
【０２５５】
また、前記ＤＳオフセットは、サブフレーム＃０を基準として開始されるディスカバリ信号の開始地点を示す。
【０２５６】
例えば、前記ＤＳオフセットは、サブフレーム０番を基準に４[ｍｓｅｃ]以後地点を指示したり、サブフレーム４番を指示したりすることができる。この場合、前記ディスカバリ信号は、サブフレーム０番を基準に４[ｍｓｅｃ]以後地点から送信されたり、サブフレーム４番から送信されたりすることができる。
【０２５７】
したがって、本明細書の開示は、前記ＤＳオフセットにより指示される開始地点(例えば、特定サブフレーム)で開始され、ＤＳ持続期間(ＤＳ  ｄｕｒａｔｉｏｎ)持続し、ＤＳ周期に周期的に送信されるディスカバリ信号を開始する。
【０２５８】
即ち、ディスカバリ信号は、特定ＤＳ周期とＤＳオフセット値を有して１サブフレームまたはＤＳ持続期間にバースト(ｂｕｒｓｔ)の形態または束(ｂｕｎｄｌｅ)の形態に送信されることができる。
【０２５９】
前記ディスカバリ信号は、既存のＬＴＥ/ＬＴＥ−Ａシステムに存在しなかった新しい形態の信号になることができ、または既存に存在する信号の形態を有することもできる。
【０２６０】
前記ディスカバリ信号が既存に存在する信号の形態を有する場合の例を挙げると、前記ディスカバリ信号は、ＣＲＳ(Ｃｅｌｌ−ｓｐｅｃｉｆｉｃ  Ｒｅｆｅｒｅｎｃｅ  Ｓｉｇｎａｌ)、ＣＳＩ−ＲＳ(Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ)、またはＰＲＳ(ｐｏｓｉｔｉｏｎｉｎｇ  ＲＳ)と同じまたは類似するリソース要素(ＲＥ)位置と設定(ｃｏｎｆｉｇｕｒａｔｉｏｎ)及び同一または類似するシーケンス(ｓｅｑｕｅｎｃｅ)を有することができる。
【０２６１】
即ち、前記ディスカバリ信号は、ＣＳＩ−ＲＳ(Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ)、ＣＲＳ(Ｃｅｌｌ−ｓｐｅｃｉｆｉｃ  Ｒｅｆｅｒｅｎｃｅ  Ｓｉｇｎａｌ)及びＰＲＳ(Ｐｏｓｉｔｉｏｎｉｎｇ  Ｒｅｆｅｒｅｎｃｅ  Ｓｉｇｎａｌ)のうちいずれか一つと同じまたは類似する形態を有することができる。
【０２６２】
しかし、前記ディスカバリ信号に新しいシーケンス(ｓｅｑｕｅｎｃｅ)、新しいリソース要素(ＲＥ)位置または新しい設定(ｃｏｎｆｉｇｕｒａｔｉｏｎ)が使われることができることはもちろんである。
【０２６３】
前記ディスカバリ信号がＣＲＳの形態を有する場合、前記ディスカバリ信号のリソース要素位置とシーケンスは、ＣＲＳ  ｐｏｒｔ  ０のリソース要素位置及びシーケンスと同じであり、またはＣＲＳ  ｐｏｒｔ  ０をｖ−ｓｈｉｆｔしたり(または、して)シンボル−移動(ｓｙｍｂｏｌ−ｓｈｉｆｔ)したりした形態のＲＥ位置とｓｅｑｕｅｎｃｅと同じである。
【０２６４】
例えば、ＣＲＳに対する前記ｖ−ｓｈｉｆｔに対するｖ−ｓｈｉｆｔ値は、数式５のＶｓｈｉｆｔ＝ＮＩＤｃｅｌｌｍｏｄ６である。
【０２６５】
また、前記ディスカバリ信号がＰＲＳの形態を有する場合、前記ディスカバリ信号のリソース要素位置とシーケンスは、ＰＲＳのリソース要素位置及びシーケンスと同じ、またはＰＲＳをｖ−ｓｈｉｆｔしたり(または、して)シンボル−移動(ｓｙｍｂｏｌ−ｓｈｉｆｔ)したりした形態のＲＥ位置とｓｅｑｕｅｎｃｅと同じである。
【０２６６】
例えば、ＰＲＳに対する前記ｖ−ｓｈｉｆｔに対するｖ−ｓｈｉｆｔ値は、数式１０のＶｓｈｉｆｔ＝ＮＩＤｃｅｌｌｍｏｄ６である。
【０２６７】
前記ディスカバリ信号がＣＳＩ−ＲＳの形態を有する場合、前記ディスカバリ信号のリソース要素位置とシーケンスは、ＣＳＩ−ＲＳ  ｐｏｒｔ  １５のリソース要素位置及びシーケンスと同じ、またはＣＳＩ−ＲＳ  ｐｏｒｔ  １５ｖ−ｓｈｉｆｔしたり(または、して)シンボル−移動(ｓｙｍｂｏｌ−ｓｈｉｆｔ)したりした形態のＲＥ位置とｓｅｑｕｅｎｃｅと同じである。
【０２６８】
特に、前記ディスカバリ信号のリソース要素位置とシーケンスは、ＣＳＩ−ＲＳ設定のうち、ｐｏｒｔ  １５に該当するリソース要素位置とシーケンスで構成されることができる。
【０２６９】
併せて、シーケンスを生成する過程で、サブフレームインデックス(ｓｕｂｆｒａｍｅ  ｉｎｄｅｘ)またはスロットインデックス(ｓｌｏｔ  ｉｎｄｅｘ)に対する部分は、端末がＳＦＮ/サブフレームインデックスを知らない場合にもディスカバリ信号が使われることができるように使用しない、または常数で固定する方法が考慮されることができる。
【０２７０】
ディスカバリ信号またはディスカバリ設定(ｃｏｎｆｉｇｕｒａｔｉｏｎ)に使われるスロットインデックス(ｓｌｏｔ  ｉｎｄｅｘ)、ＳＦＮまたはサブフレームインデックスは、該当ディスカバリ信号を送るセルに合わせるものではなく、該当セルに対するディスカバリ信号に対する情報を送信するセルに合わせることもできる。
【０２７１】
例えば、マクロセルが一つのスモールセルクラスタ内の全てのスモールセルに対するディスカバリ信号に対する支援(ａｓｓｉｓｔａｎｃｅ)情報(例えば、ｃｏｎｆｉｇｕｒａｔｉｏｎ、ｏｆｆｓｅｔ、ｐｅｒｉｏｄｉｃｉｔｙ、ｃｅｌｌ  ＩＤ等)を送るとする場合、ＳＦＮ/サブフレームインデックスが合っていると仮定したり使われるインデックスは、支援情報を送るマクロセルに合わせられると仮定され、それによって、前記ディスカバリ信号が送信されると仮定することができる。
【０２７２】
これはマクロセルとＳＦＮ/サブフレームインデックスが整列(ａｌｉｇｎ)されない場合にも、スモールセルが端末にディスカバリ信号を適期検出することができるようにするためである。
【０２７３】
または、このようなディスカバリ信号またはディスカバリ信号設定に使われるＳＦＮ/サブフレームインデックスが合っていると仮定したり使われるインデックスは、ＣＡ(Ｃａｒｒｉｅｒ  Ａｇｇｒｅｇａｔｉｏｎ)環境または二重接続(Ｄｕａｌ  ｃｏｎｎｅｃｔｉｖｉｔｙ)である場合を考慮し、ＳＣＧ  ｓＰＣｅｌｌ、特定Ｓｃｅｌｌ、または支援(ａｓｓｉｓｔａｎｃｅ)情報を送るセル、(または、ＰＤＳＣＨ送信セル)のインデックスに合わせられる。
【０２７４】
このようなタイミングは、サブフレームインデックスだけでなく、ＯＦＤＭシンボルレベルにディスカバリ信号情報がくる時にも使われることができる。
【０２７５】
このとき、ＳＣＧ  ｓＰＣｅｌｌとは、ユーザ装置(ＵＥ)のｓｃｅｌｌであるサービングセル(ｓｅｒｖｉｎｇ  ｃｅｌｌ)のうち、ＰＵＣＣＨを送信することができるｃｅｌｌを意味する。より具体的に、ＳＣＧ  ｓＰＣｅｌｌは、マクロセルまたはＰｃｅｌｌとインターサイト(ｉｎｔｅｒ−ｓｉｔｅ)関係に存在するサービング−セルまたはスモールセルに限定されることができる。
【０２７６】
【０２７７】
一方、このようなスモールセル環境では、複数のスモールセルが同一チャネル(ｃｏ−ｃｈａｎｎｅｌ)上に存在し、互いに近接した距離に位置するため、セル間干渉がマクロセル間の干渉に比べて大きくなる問題点がある。
【０２７８】
したがって、本明細書の他の開示は、複数個のスモールセルクラスタ(または、クラスタ)が隣接した環境でディスカバリ信号間の干渉を減らす方案を提供する。
【０２７９】
具体的に、本明細書の他の開示は、クラスタ単位にグループ化された複数の小規模セル(Ｓｍａｌｌ−ｓｃａｌｅｄ  Ｃｅｌｌｓ)から一回の送信時、複数のサブフレームにわたって送信され、長い周期で周期的に送信される信号を受信する方法を提供する。
【０２８０】
前記方法は、前記複数の小規模セルのうち、任意小規模セルからの前記信号を第１のサブフレーム上で受信するステップと、前記任意小規模セルからの前記信号を第２のサブフレーム上で受信するステップと、を含み、前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わる。
【０２８１】
また、本明細書の他の開示による端末乃至ユーザ装置(ＵＥ)は、クラスタ単位にグループ化された複数の小規模セル(Ｓｍａｌｌ−ｓｃａｌｅｄ  Ｃｅｌｌｓ)から一回の送信時、複数のサブフレームにわたって送信され、長い周期で周期的に送信される信号を受信するユーザ装置であって、前記信号を受信するＲＦ部と、前記複数の小規模セルのうち、任意小規模セルからの前記信号を第１のサブフレーム上で受信し、前記任意セルからの前記信号を第２のサブフレーム上で受信するように前記ＲＦ部を制御するプロセッサと、を含み、前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わる。
【０２８２】
前記信号が受信されるリソース要素の位置は、特定基準に基づいて時変される。
【０２８３】
ここで、前記特定基準は、サブフレーム、ラジオフレーム及び前記信号に対する送信イベントの発生である。
【０２８４】
前記信号が受信されるリソース要素の位置は、前記特定基準に基づいて時間の変化によって決定されるタイムインデックス(Ｔｉｍｅ  Ｉｎｄｅｘ)によって変更されることができる。
【０２８５】
前記予め決められたホッピングパターンは、小規模セル別にまたはクラスタ別に異なるように決定される。
【０２８６】
また、前記予め決められたホッピングパターンは、マクロセルにより設定される。
【０２８７】
また、前記予め決められたホッピングパターンは、前記任意小規模セルに該当するセル識別子(ＩＤ：Ｉｄｅｎｔｉｆｉｃａｔｉｏｎ)、前記任意小規模セルを含むクラスタに該当するクラスタ識別子及び前記タイムインデックスのうち少なくとも一つにより決定される。
【０２８８】
前記信号は、ＣＳＩ−ＲＳ(Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ)、ＣＲＳ(Ｃｅｌｌ−ｓｐｅｃｉｆｉｃ  Ｒｅｆｅｒｅｎｃｅ  Ｓｉｇｎａｌ)及びＰＲＳ(Ｐｏｓｉｔｉｏｎｉｎｇ  Ｒｅｆｅｒｅｎｃｅ  Ｓｉｇｎａｌ)のうちいずれか一つと同じまたは類似する形態を有する。
【０２８９】
前記信号がＣＳＩ−ＲＳと同じまたは類似する形態を有する場合、前記信号は、前記信号に該当するＣＳＩ−ＲＳ設定(Ｃｏｎｆｉｇｕｒａｔｉｏｎ)に該当するリソース要素上で送信され、前記信号に該当するＣＳＩ−ＲＳ設定は、時間によって変更される。
【０２９０】
また、前記信号がＣＲＳと同じまたは類似する形態を有する場合、前記信号は、前記ＣＲＳに該当するリソース要素の位置を特定パターンに移動させたリソース要素の位置上で送信され、前記特定パターンは、時間によって変更される。
【０２９１】
また、前記信号がＰＲＳと同じまたは類似する形態を有する場合、前記信号は、前記ＰＲＳに該当するリソース要素の位置を特定パターンに移動させたリソース要素の位置上で送信され、前記特定パターンは、時間によって変更される。
【０２９２】
また、本明細書の他の開示は、スモールセル環境で前記信号(以下、ディスカバリ信号)が送信される場合、スモールセルクラスタ(または、クラスタ)内のスモールセル(または、小規模セル)間またはスモールセルクラスタ間のディスカバリ信号の干渉が減少されることができるセル探索過程実行方法を提供する。
【０２９３】
本明細書の他の開示によるセル探索過程実行方法は、複数のスモールセル(Ｓｍａｌｌ  Ｃｅｌｌｓ)を含む複数のスモールセルクラスタ(Ｓｍａｌｌ  Ｃｅｌｌ  Ｃｌｕｓｔｅｒｓ)で構成される無線通信システムの任意小規模セルを探すためのセル探索過程実行方法であって、前記任意小規模セルにより生成されたディスカバリ信号(Ｄｉｓｃｏｖｅｒｙ  ｓｉｇｎａｌ)を受信するステップと、前記ディスカバリ信号に基づいて前記任意小規模セルを探索するステップと、を含み、前記ディスカバリ信号が送信されるリソース要素の位置は、時間によって変更される。
【０２９４】
本明細書の他の開示による端末乃至ユーザ装置(ＵＥ)は、複数のスモールセル(Ｓｍａｌｌ  Ｃｅｌｌｓ)を含む複数のスモールセルクラスタ(または、クラスタ)で構成される無線通信システムにおいて、任意小規模セルを探すためのセル探索過程を実行する端末乃至ユーザ装置であって、前記任意小規模セルにより生成されたディスカバリ信号を受信するＲＦ部と、前記ディスカバリ信号に基づいて前記任意小規模セルを探索するプロセッサと、を含み、前記ディスカバリ信号が送信されるリソース要素の位置は、時間によって変更される。
【０２９５】
以下、図面を参照して本明細書の他の開示に対して説明する。
【０２９６】
具体的に、本明細書の第２の開示は、スモールセルクラスタ内のスモールセル間のディスカバリ信号の干渉を減少させる方案を提案し、本明細書の第３の開示は、スモールセルクラスタ間のディスカバリ信号の干渉を減少させることができる方案を提案する。
【０２９７】
【０２９８】
ＩＩ．本明細書の第２の開示
【０２９９】
前述したように、本明細書の第２の開示は、スモールセル環境でディスカバリ信号が送信される場合、スモールセル間のディスカバリ信号の干渉を減少させる方案を提案する。
【０３００】
互いに隣接するスモールセルが互いに同じサブフレームの同じリソース要素位置でディスカバリ信号を送信するようになると、他のセルが送信するディスカバリ信号が受信対象になるディスカバリ信号の干渉として作用するようになる。
【０３０１】
それによって、ユーザ装置(ＵＥ)は、自分がサービスを受けようとするスモールセルを検出(ｄｅｔｅｃｔｉｏｎ)乃至検知し、または自分に隣接するスモールセルを正確に多く検出乃至検知するのに問題が発生することができる。
【０３０２】
これを防止するために、同じスモールセルクラスタ(ｓｍａｌｌ  ｃｅｌｌ  ｃｌｕｓｔｅｒ)内に存在するスモールセル間には互いに直交(ｏｒｔｈｏｇｏｎａｌ)する形態のディスカバリ信号を使用する方法が考慮されることができる。
【０３０３】
直交性(Ｏｒｔｈｏｇｏｎａｌｉｔｙ)を満たすための方法のうち一つは、セル間送信されるディスカバリ信号のリソース要素位置が重ならないようにするものである。
【０３０４】
ディスカバリ信号の形態が、各々、ＣＳＩ−ＲＳ、ＣＲＳ、ＰＲＳの形態と同じまたは類似する場合、セル間ディスカバリ信号の直交性を満たすために、下記のような方案がある。
【０３０５】
−ディスカバリ信号の形態がＣＳＩ−ＲＳの形態である場合の直交性方案
【０３０６】
同じスモールセルクラスタ内に存在するスモールセル間にはディスカバリ信号を送信するために互いに異なるＣＳＩ−ＲＳ設定(ｃｏｎｆｉｇｕｒａｔｉｏｎ)に該当するＣＳＩ−ＲＳのリソース要素位置が使われることができる。
【０３０７】
互いに異なるＣＳＩ−ＲＳ設定を有するＣＳＩ−ＲＳは、互いに異なるリソース要素位置で構成される。
【０３０８】
したがって、スモールセル間に互いに異なるＣＳＩ−ＲＳ設定(ｃｏｎｆｉｇｕｒａｔｉｏｎ)のリソース要素位置を使用してディスカバリ信号を送信すると、スモールセル間ディスカバリ信号の送信リソース要素位置が重ならないようになる。
【０３０９】
このとき、ディスカバリ信号の送信リソース要素位置を設定するためのＣＳＩ−ＲＳ設定は、実際該当スモールセルで送信するＣＳＩ−ＲＳを示すために使用するＣＳＩ−ＲＳ設定と同じまたは独立的な値である。
【０３１０】
本明細書の第２の開示では、ディスカバリ信号がＣＳＩ−ＲＳの形態を有する場合、ディスカバリ信号の送信リソース要素位置を設定するためのＣＳＩ−ＲＳ設定をＤＳ  ＣＳＩ−ＲＳ設定(ＤＳ  ＣＳＩ−ＲＳ  ｃｏｎｆｉｇｕｒａｔｉｏｎ)という。
【０３１１】
−ディスカバリ信号の形態がＣＲＳの形態である場合の直交性方案
【０３１２】
ディスカバリ信号を送信するためにＣＲＳ(ｐｏｒｔ  ０)のリソース要素位置と該当リソース要素位置をｖ−ｓｈｉｆｔしたり(または、して)シンボル−移動(ｓｙｍｂｏｌ−ｓｈｉｆｔ)したりしたＲＥ位置を使用することができる。
【０３１３】
前記ｖ−ｓｈｉｆｔ(または、ｖ−ｓｈｉｆｔ移動)は、ｖ−ｓｈｉｆｔ値(数式５のｖｓｈｉｆｔ参照)に基づくリソース要素位置の変更を意味する。
【０３１４】
このとき、同じスモールセルクラスタ内に存在するスモールセル間にはディスカバリ信号を送信するために互いに異なるｖ−ｓｈｉｆｔ及び/またはｓｙｍｂｏｌ−ｓｈｉｆｔ値を使用することによって互いにディスカバリ信号の送信リソース要素位置が重ならないようにすることができる。
【０３１５】
−ディスカバリ信号の形態がＰＲＳの形態である場合の直交性方案
【０３１６】
ディスカバリ信号を送信するためにＰＲＳ(ｐｏｒｔ  ６)のリソース要素位置と該当リソース要素位置をｖ−ｓｈｉｆｔしたり(または、して)シンボル−移動(ｓｙｍｂｏｌ−ｓｈｉｆｔ)したりしたＲＥ位置を使用することができる。
【０３１７】
前記ｖ−ｓｈｉｆｔ(または、ｖ−ｓｈｉｆｔ移動)は、ｖ−ｓｈｉｆｔ値(数式１０のｖｓｈｉｆｔ参照)に基づくリソース要素位置の変更を意味する。
【０３１８】
同じスモールセルクラスタ内に存在するスモールセル間にはディスカバリ信号を送信するために互いに異なるｖ−ｓｈｉｆｔ及び/またはｓｙｍｂｏｌ−ｓｈｉｆｔ値を使用し、互いにディスカバリ信号を送信するリソース要素位置が重ならないようにすることができる。
【０３１９】
−ディスカバリ信号の形態がＰＳＳ/ＳＳＳの形態である場合の直交性方案
【０３２０】
ＯＦＤＭシンボル移動(ＯＦＤＭ  ｓｙｍｂｏｌ  ｓｈｉｆｔ)のような方式にスモールセル間ＴＤＭを介して干渉が防止されることができる。
【０３２１】
前述した方案は、単に例に過ぎず、本明細書に開示された技術は、他の参照信号(ＲＳ)ベースのディスカバリ信号のシーケンス生成(ｓｅｑｕｅｎｃｅ  ｇｅｎｅｒａｔｉｏｎ)及びＲＳ位置(ＲＳ  ｌｏｃａｔｉｏｎ)指定にも使われることができる。
【０３２２】
【０３２３】
ＩＩＩ．本明細書の第３の開示
【０３２４】
前述した本明細書の第２の開示において、スモールセルクラスタ内でディスカバリ信号のリソース要素位置を互いに異なるように位置させることによってディスカバリ信号間の干渉を減らす方案が提案された。
【０３２５】
しかし、互いに異なるスモールセルクラスタが隣接する状況ではスモールセルクラスタ間の干渉も考慮されなければならない。
【０３２６】
したがって、本明細書の開示のうち、第３の開示は、スモールセル環境でディスカバリ信号が送信される場合、スモールセルクラスタ間ディスカバリ信号の干渉を減少させることができる方案を提案する。
【０３２７】
図１５は、スモールセルクラスタ間の干渉問題を示す例示図である。
【０３２８】
図１５を参照すると、スモールセル環境では互いに異なるスモールセルクラスタが隣接する状況が発生でき、例えば、図１５に示すように、スモールセルクラスタＡとスモールセルクラスタＢが互いに隣接し、スモールセルクラスタが互いに同じ搬送波周波数(ｃａｒｒｉｅｒ  ｆｒｅｑｕｅｎｃｙ)を有する場合、スモールセルクラスタＡ内の特定セルとスモールセルクラスタＢ内の特定セルが同じリソース要素位置を使用してディスカバリ信号を送信する状況が発生できる。
【０３２９】
この場合、他のスモールセルクラスタ内のディスカバリ信号が干渉として作用できる。
【０３３０】
即ち、図１５に示すように、スモールセルクラスタＡ内に存在するセル１とスモールセルクラスタＢ内に存在するセル２が送信するディスカバリ信号の送信リソース要素位置が同じである時、ユーザ装置(ＵＥ)がセル１のディスカバリ信号を受信しようとする場合、セル２が送信するディスカバリ信号は、ユーザ装置(ＵＥ)がセル１のディスカバリ信号を受信するにあたって干渉として作用するようになる。
【０３３１】
本明細書の第３の開示では、このように互いに異なるスモールセルクラスタで送信されるディスカバリ信号による干渉を減らすための方案を提案する。
【０３３２】
併せて、同じクラスタ内でもスモールセルの数が多くなる場合、リソースを重ならないように割り当てることができないこともある。例えば、セルＩＤとリソース割当が連携している場合、重なるセルは、時間が経過しても持続的に重なるようになる状況が誘発されることができる。
【０３３３】
したがって、ディスカバリ信号が送信されるリソースの分布に対するランダム化(ｒａｎｄｏｍｉｚａｔｉｏｎ)がスモールセルクラスタ内やクラスタ間のリソース割当(ｒｅｓｏｕｒｃｅ  ａｌｌｏｃａｔｉｏｎ)で必要になる。
【０３３４】
また、クラスタ内にスモールセルの数が多くなる場合、サブクラスタ(ｓｕｂ−ｃｌｕｓｔｅｒ)に細分化してリソースの直交配分(ｏｒｔｈｏｇｏｎａｌ  ａｓｓｉｇｎｍｅｎｔ)を追求することもできる。
【０３３５】
本明細書の開示で言及するセルＩＤは、実際各セルのセルＩＤを意味することもあるが、ネットワークにより設定された仮想(ｖｉｒｔｕａｌ)セルＩＤを意味することもある。
【０３３６】
したがって、本明細書の第３の開示で言及されるセルＩＤは、各セルの仮想セルＩＤが適用されることを含む広い概念である。
【０３３７】
【０３３８】
以下、図面を参照して本明細書の第３の開示によるディスカバリ信号に対する干渉防止乃至回避方案に対して説明する。
【０３３９】
具体的に、本明細書の第３の開示のうち、第１の態様では、ＤＳオフセット調節を介したスモールセルクラスタ間の干渉回避(Ｉｎｔｅｒｆｅｒｅｎｃｅ  ａｖｏｉｄａｎｃｅ)方案に対して説明し、本明細書の第２の開示のうち、第２の態様では、ディスカバリ信号のホッピングを介した干渉ランダム化(Ｉｎｔｅｒｆｅｒｅｎｃｅ  ｒａｎｄｏｍｉｚａｔｉｏｎ)方案に対して説明する。
【０３４０】
【０３４１】
１．本明細書の第３の開示のうち、第１の態様：スモールセルクラスタ間の干渉回避(Ｉｎｔｅｒｆｅｒｅｎｃｅ  ａｖｏｉｄａｎｃｅ)方案
【０３４２】
本明細書の第３の開示のうち、第１の態様では、互いに異なるスモールセルクラスタに存在するスモールセル間のディスカバリ信号の送信位置が同じで互いに干渉として作用することを防止するために、互いに異なるスモールセルクラスタ間にディスカバリ信号が送信される時間領域(例えば、サブフレーム/ラジオフレーム領域)及び/または周波数領域を互いに異なるようにすることを提案する。
【０３４３】
そのために、本明細書の第３の開示のうち、第１の態様では、ディスカバリ信号が送信されるサブフレーム/ラジオフレームのオフセット値であるＤＳオフセットの値を隣接したスモールセルクラスタ間に互いに異なるように設定することを提案する。
【０３４４】
例えば、ディスカバリ信号が４個サブフレームの間に送信される場合(例えば、ＤＳ持続期間(ＤＳ  ｄｕｒａｔｉｏｎ)＝４ｍｓｅｃ)、スモールセルクラスタＡ内のスモールセルのＤＳオフセットは０[ｍｓｅｃ]であり、スモールセルクラスタＢ内のスモールセルのＤＳオフセットは４ｍｓｅｃである。
【０３４５】
この場合、サブフレーム＃０から＃３まではスモールセルクラスタＡ内のスモールセルがディスカバリ信号を送信し、サブフレーム＃４から＃７まではスモールセルクラスタＢ内のスモールセルがディスカバリ信号を送信するようになる。
【０３４６】
スモールセルクラスタ毎にクラスタのＩＤが存在でき、このようなスモールセルクラスタＩＤをｃｌｕｓｔｅｒ  ｉｄと表記できる。
【０３４７】
本明細書の第３の開示のうち、第１の態様では、スモールセルクラスタのＩＤによってＤＳオフセットの値が変わることを提案する。
【０３４８】
即ち、ＤＳオフセットの値がｃｌｕｓｔｅｒ  ｉｄによって変わることができる。この場合、特徴的に各スモールセルクラスタのＤＳオフセットの値は、(ＤＳ  ｄｕｒａｔｉｏｎ  ×  ｃｌｕｓｔｅｒ  ｉｄ)ｍｏｄ(ＤＳ  ｐｅｒｉｏｄ)のように示すことができる。
【０３４９】
図１６は、本明細書の第３の開示のうち、第１の態様による干渉回避方案を示す例示図である。
【０３５０】
図１６を参照すると、互いに異なるスモールセルクラスタＡ、Ｂ、Ｃ、Ｄが存在する場合、各スモールセルクラスタ内に属するスモールセルが互いにディスカバリ信号を送信する時期が重ならないように送信する例を確認することができる。
【０３５１】
本明細書の第３の開示のうち、第１の態様による干渉回避方案によると、端末がディスカバリ信号を検出(ｄｅｔｅｃｔ)するタイミング(ｔｉｍｉｎｇ)によってｃｌｕｓｔｅｒ  ＩＤを類推することができる。
【０３５２】
例えば、ｃｌｕｓｔｅｒ  ＩＤは、最大１０個とし、ＤＳオフセットの値も１０個とすると、ＤＳオフセットとｃｌｕｓｔｅｒ  ＩＤとの間に１−１マッピング(ｍａｐｐｉｎｇ)されることができるため、このような場合、ディスカバリ信号を検出するタイミングをｃｌｕｓｔｅｒ  ＩＤと解析し、ユーザ装置(ＵＥ)が基地局(ｅＮｏｄｅＢ)に測定(ｍｅａｓｕｒｅｍｅｎｔ)に対する報告(ｒｅｐｏｒｔ)を実行する時、セルＩＤと共にｃｌｕｓｔｅｒ  ＩＤを共に送信することができる。または(検出タイミング(ｄｅｔｅｃｔｉｏｎｔｉｍｉｎｇ)がｃｌｕｓｔｅｒ  ＩＤと関連していないこともあるため)、ユーザ装置(ＵＥ)は、基地局(ｅＮｏｄｅＢ)にディスカバリ信号を検出するタイミング(ｔｉｍｉｎｇ)値に対する情報を送信することができる。
【０３５３】
第１の態様によるオフセット適用方案は、時間/周波数/コード側面の全てで使われることができることはもちろんである。
【０３５４】
これは端末がブラインド(ｂｌｉｎｄ)にｃｌｕｓｔｅｒ  ＩＤまたはｇｒｏｕｐ  ＩＤを、ディスカバリ信号の送信を受けると同時に読みだすことができる技術に全て適用可能である。
【０３５５】
ｃｌｕｓｔｅｒ  ＩＤでないスモールセルのディスカバリ信号がオーバーレイされたマクロセル(ｏｖｅｒｌａｉｄ  ｍａｃｒｏ  ｃｅｌｌ)のタイミングに合わせて決められる場合、いつディスカバリ信号を検出したかに対する情報は、該当探索されたりディスカバーされた(ｄｉｓｃｏｖｅｒｅｄ)スモールセルのオーバーレイされたマクロセルを検出するのにも使われることができる。
【０３５６】
これはディスカバリ信号のスクランブリング(ｓｃｒａｍｂｌｉｎｇ)ＩＤは、既存のセルＩＤ範囲[０−５０３]を維持するが、さらに多くのＩＤを示すのに使われることができる。
【０３５７】
即ち、ディスカバリ信号が送信するＩＤは、ディスカバリ信号のスクランブルに使われたＩＤとユーザ装置(ＵＥ)ブラインドデコーディング(ＢＤ：ｂｌｉｎｄ  ｄｅｃｏｄｉｎｇ)、例えば、ＢＤタイミング及び周波数等からのＩＤを利用して推定することができ、このような情報がサービングセルに報告される場合に利用されることができる。
【０３５８】
このような技法は、ディスカバリ信号がクラスタＩＤ(ｃｌｕｓｔｅｒ  ＩＤ)によって特定位置でｖ−ｓｈｉｆｔ/ｓｙｍｂｏｌ−ｓｈｉｆｔが実行されたり、互いに異なる周波数領域を介して送信されたりする場合にも適用されることができる。
【０３５９】
端末がディスカバリ信号を検出するｖ−ｓｈｉｆｔ値/ｓｙｍｂｏｌ−ｓｈｉｆｔ値または周波数領域を介してｃｌｕｓｔｅｒ  ＩＤを類推することができ、ユーザ装置(ＵＥ)が基地局(ｅＮｏｄｅＢ)に測定(ｍｅａｓｕｒｅｍｅｎｔ)に対する報告(ｒｅｐｏｒｔ)を実行する時、セルＩＤと共に該当ｃｌｕｓｔｅｒ  ＩＤを共に送信することができる。
【０３６０】
または、検出されたｖ−ｓｈｉｆｔ値/ｓｙｍｂｏｌ−ｓｈｉｆｔ値または周波数領域がｃｌｕｓｔｅｒ  ＩＤと関連していないこともあるため)ユーザ装置(ＵＥ)は、基地局(ｅＮｏｄｅＢ)にディスカバリ信号を検出するｖ−ｓｈｉｆｔ値/ｓｙｍｂｏｌ−ｓｈｉｆｔ値または周波数領域に対する情報を送信することができる。
【０３６１】
他の場合は、端末が二つのスモールセルクラスタの間にあり、各クラスタを担当するオーバーレイされたマクロセル(ｏｖｅｒｌａｉｄ  ｍａｃｒｏ  ｃｅｌｌ、またはｃｏｎｔｒｏｌｌｉｎｇ  ｅＮｏｄｅＢ)が異なる場合、各ｍａｃｒｏセルは、該当クラスタに対する情報のみを送ることもできる。
【０３６２】
例えば、基地局１(ｅＮｏｄｅＢ１またはｃｌｕｓｔｅｒ１)は、ｆ１でセル１に対するディスカバリ信号が送信されると知らせ、基地局２(ｅＮｏｄｅＢ２またはｃｌｕｓｔｅｒ２)は、ｆ２でセル１に対するディスカバリ信号が送信されると知らせた場合、ｆ１でセル１が検出されると、これを基地局１に知らせ、ｆ２でセル１が検出されると、これを基地局２に知らせることができる。
【０３６３】
即ち、各基地局で送信された情報に基づく検出結果のみを各基地局に送信することが考慮されることができる。
【０３６４】
【０３６５】
２．本明細書の第３の開示のうち、第２の態様：スモールセルクラスタ間の干渉回避(Ｉｎｔｅｒｆｅｒｅｎｃｅ  ａｖｏｉｄａｎｃｅ)及び干渉ランダム化(Ｉｎｔｅｒｆｅｒｅｎｃｅ  ｒａｎｄｏｍｉｚａｔｉｏｎ)方案
【０３６６】
本明細書の第３の開示のうち、第２の態様では、互いに異なるスモールセルクラスタに存在するスモールセル間のディスカバリ信号の送信位置が同じで互いに干渉として作用することを防止するために、一スモールセルで使用するディスカバリ信号のリソース要素位置を時間の経過によって異なるようにし、ディスカバリ信号のリソース要素位置が変更されるパターンをスモールセル毎にまたはスモールセルが属しているスモールセルクラスタ毎に異なるようにすることを提案する。
【０３６７】
即ち、本明細書の第３の開示のうち、第２の態様によるセル探索過程実行方法は、複数のスモールセル(Ｓｍａｌｌ  Ｃｅｌｌｓ)を含む複数のスモールセルクラスタ(Ｓｍａｌｌ  Ｃｅｌｌ  Ｃｌｕｓｔｅｒｓ)で構成される無線通信システムの特定スモールセルを探すためのセル探索過程実行方法であって、前記特定スモールセルにより生成されたディスカバリ信号(Ｄｉｓｃｏｖｅｒｙ  ｓｉｇｎａｌ)を受信するステップと、前記ディスカバリ信号に基づいて前記特定スモールセルを探索するステップと、を含み、前記ディスカバリ信号が送信されるリソース要素の位置が時間によって変更されることを特徴とすることができる。
【０３６８】
また、ここで、前記ディスカバリ信号が送信されるリソース要素の位置は、特定ホッピングパターンによって変更され、前記特定ホッピングパターンは、スモールセル別にまたはスモールセルクラスタ別に異なるように決定される。
【０３６９】
前記ディスカバリ信号は、ＣＳＩ−ＲＳ(Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ)、ＣＲＳ(Ｃｅｌｌ−ｓｐｅｃｉｆｉｃ  Ｒｅｆｅｒｅｎｃｅ  Ｓｉｇｎａｌ)及びＰＲＳ(Ｐｏｓｉｔｉｏｎｉｎｇ  Ｒｅｆｅｒｅｎｃｅ  Ｓｉｇｎａｌ)のうちいずれか一つと同じまたは類似する形態を有する。
【０３７０】
もし、前記ディスカバリ信号がＣＳＩ−ＲＳと同じまたは類似する形態を有する場合、前記ディスカバリ信号は、前記ディスカバリ信号に該当するＣＳＩ−ＲＳ設定(Ｃｏｎｆｉｇｕｒａｔｉｏｎ)に該当するリソース要素上で送信され、前記ディスカバリ信号に該当するＣＳＩ−ＲＳ設定は、時間によって変更される。
【０３７１】
また、前記ディスカバリ信号がＣＲＳと同じまたは類似する形態を有する場合、前記ディスカバリ信号は、前記ＣＲＳに該当するリソース要素の位置を特定パターンに移動させたリソース要素の位置上で送信され、前記特定パターンは、時間によって変更される。
【０３７２】
また、前記ディスカバリ信号がＰＲＳと同じまたは類似する形態を有する場合、前記ディスカバリ信号は、前記ＰＲＳに該当するリソース要素の位置を特定パターンに移動させたリソース要素の位置上で送信され、前記特定パターンは、時間によって変更される。
【０３７３】
それによって、時間によって特定スモールセルに干渉として作用する他のスモールセルのディスカバリ信号が送信されるリソース要素領域が変わることができる。
【０３７４】
また、二つのスモールセルのディスカバリ信号が送信されるリソース要素位置が持続的に同じで互いに持続的に干渉として作用する現状を防止することができる。
【０３７５】
【０３７６】
図１７ａ乃至図１７ｂは、本明細書の第３の開示のうち、第３の態様による干渉ランダム化を示す例示図である。
【０３７７】
図１７ａ乃至図１７ｂに示すように、スモールセルで使用するディスカバリ信号のリソース要素位置を時間によって変化させることができ、それによって、ディスカバリ信号に対する干渉ランダム化が可能になる。
【０３７８】
本明細書の第３の開示のうち、第２の態様によると、ディスカバリ信号のリソース要素位置が変わる時期(時間単位)は、下記の通りである。
【０３７９】
−サブフレーム別に変更
【０３８０】
特定スモールセルでのディスカバリ信号のリソース要素位置は、サブフレーム別に変わることができる。または、多重サブフレーム(ｍｕｌｔｉｐｌｅ  ｓｕｂｆｒａｍｅｓ)別に変わることができる。
【０３８１】
このとき、ディスカバリ信号のリソース要素位置が変更されるサブフレームの周期は、固定された値(例えば、１サブフレーム)であり、またはＲＲＣシグナリング(ｓｉｇｎａｌｉｎｇ)を介して設定(ｃｏｎｆｉｇｕｒｅ)されることができる。
【０３８２】
−ラジオフレーム別に変更
【０３８３】
特定スモールセルでのディスカバリ信号のリソース要素位置は、ラジオフレーム別に変わることができる。
【０３８４】
即ち、ＳＦＮ(ｓｙｓｔｅｍ  ｆｒａｍｅ  ｎｕｍｂｅｒ)別に異なるディスカバリ信号のリソース要素位置を使用することができる。または、特定スモールセルでのディスカバリ信号のリソース要素位置は、多重ラジオフレーム(ｍｕｌｔｉｐｌｅ  ｒａｄｉｏ  ｆｒａｍｅｓ)別に変わることができる。
【０３８５】
このとき、ディスカバリ信号のリソース要素位置が変更されるラジオフレームの周期は、固定された値(例えば、１ラジオフレーム)であり、またはＲＲＣシースナリングを介して設定されることができる。
【０３８６】
−ディスカバリ信号(ＤＳ)束(ＤＳ  ｂｕｎｄｌｅ)別に変更
【０３８７】
特定スモールセルでのディスカバリ信号のリソース要素位置は、ＤＳ持続期間(ＤＳ  ｄｕｒａｔｉｏｎ)に送信されるディスカバリ信号の束(ｂｕｎｄｌｅ)別に(ディスカバリ信号の送信機会別にまたはディスカバリ信号に対する送信イベントの発生別に)変わることができる。
【０３８８】
図１８は、ディスカバリ信号の束別に変更されるディスカバリ信号のリソース要素位置を示す例示図である。
【０３８９】
図１８に示すように、ディスカバリ信号が一回送信される時に送信される期間であるＤＳ持続期間(ＤＳ  ｄｕｒａｔｉｏｎ)が４ｍｓｅｃの場合、一回のディスカバリ信号を送信するＤＳ持続期間(４ｍｓｅｃ)の間は、ディスカバリ信号が同じリソース要素(ＲＥ)位置に送信される。
【０３９０】
しかし、ＤＳ持続期間(４ｍｓｅｃ)に送信されるディスカバリ信号間にはディスカバリ信号が送信されるリソース要素位置が変更されることができる。
【０３９１】
例えば、図１８に示すように、特定時点にＤＳ持続期間に送信したディスカバリ信号のリソース要素位置がＤＳ  ＲＥ  ｌｏｃａｔｉｏｎ  ０の場合、次に(次のＤＳ送信機会にまたは次のＤＳ送信イベント発生時に)ＤＳ持続期間に送信するディスカバリ信号のリソース要素位置は、ＤＳ  ＲＥ  ｌｏｃａｔｉｏｎ  １である。
【０３９２】
即ち、本明細書の第３の開示のうち、第２の態様によると、前記ディスカバリ信号が送信されるリソース要素の位置は、特定基準に基づいて時間によって変更される。
【０３９３】
このとき、前記特定基準は、サブフレーム、ラジオフレーム及び前記ディスカバリ信号に対する送信イベントの発生である。
【０３９４】
即ち、前述したように、前記ディスカバリ信号が送信されるリソース要素の位置は、時間によって変更され、特定基準であるサブフレーム別、ラジオフレーム別またはディスカバリ信号(ＤＳ)束別(または、ディスカバリ信号に対する送信イベントの発生別)に変更されることができる。
【０３９５】
一方、ディスカバリ信号の形態が各々ＣＳＩ−ＲＳ、ＣＲＳ、ＰＲＳの形態である時、時間によってディスカバリ信号のリソース要素位置は、下記のように変更されることができる。
【０３９６】
−ディスカバリ信号の形態がＣＳＩ−ＲＳである場合
【０３９７】
時間によって異なるディスカバリ信号に対するＣＳＩ−ＲＳ設定(ＤＳ  ＣＳＩ−ＲＳ  ｃｏｎｆｉｇｕｒａｔｉｏｎ)のリソース要素位置を使用してディスカバリ信号を送信することができる。
【０３９８】
即ち、図１７ｂに示すように、サブフレームの単位にまたはディスカバリ信号の送信機会別に(または、ディスカバリ信号の送信イベント別に)互いに異なるディスカバリ信号に対するＣＳＩ−ＲＳ設定に該当するリソース要素位置を介してディスカバリ信号を送信することができる。
【０３９９】
−ディスカバリ信号の形態がＣＲＳまたはＣＲＳをｖ−ｓｈｉｆｔ及び/またはシンボル−ｓｈｉｆｔした形態である場合
【０４００】
ディスカバリ信号に時間によって異なるｖ−ｓｈｉｆｔ及び/またはシンボル−ｓｈｉｆｔを適用することによって、時間によって異なるリソース要素位置を使用してディスカバリ信号を送信することができる。
【０４０１】
即ち、図１７ａに示すように、サブフレーム単位に互いに異なるｖ−ｓｈｉｆｔを適用したリソース要素位置を介してディスカバリ信号を送信することができる。
【０４０２】
−ディスカバリ信号の形態がＰＲＳまたはＰＲＳをｖ−ｓｈｉｆｔ及び/またはシンボル−ｓｈｉｆｔした形態である場合
【０４０３】
ディスカバリ信号に時間によって異なるｖ−ｓｈｉｆｔ及び/またはシンボル−ｓｈｉｆｔを適用することによって、時間によって異なるリソース要素位置を介してディスカバリ信号を送信することができる。
【０４０４】
一方、互いに異なるスモールセルクラスタ内に属する二つのスモールセル間のディスカバリ信号が送信されるリソース要素位置が持続的に同じで持続的に干渉として作用する現状を防止するがために、ディスカバリ信号のリソース要素位置が変更されるパターンがセル毎に及び/またはスモールセルクラスタ毎に異なる。
【０４０５】
以下、前記ディスカバリ信号のリソース要素位置が変更されるパターンをホッピングパターンという。
【０４０６】
即ち、本明細書の第３の開示のうち、第２の態様によると、前記ディスカバリ信号が送信されるリソース要素の位置は、特定ホッピングパターンによって変更され、前記特定ホッピングパターンは、スモールセル別にまたはスモールセルクラスタ別に異なるように決定される。
【０４０７】
本明細書の第３の開示のうち、第２の態様は、ディスカバリ信号のリソース要素位置の設定及びリソース要素位置が変更されるパターン(または、ホッピングパターン)を下記のような方案により決定することを提案する。
【０４０８】
−第１の方案
【０４０９】
第１の方案によると、ユーザ装置(ＵＥ)は、特定スモールセルでのディスカバリ信号の送信リソース要素位置を特定セルから設定(ｃｏｎｆｉｇｕｒｅ)を受けることができる。
【０４１０】
例えば、マクロセルが一つのスモールセルクラスタ内の全てのスモールセルに対するディスカバリ信号に対する支援(ａｓｓｉｓｔａｎｃｅ)情報(例えば、ｃｏｎｆｉｇｕｒａｔｉｏｎ、ｏｆｆｓｅｔ、ｐｅｒｉｏｄｉｃｉｔｙ、ｃｅｌｌ  ＩＤなど)を送ることができる。即ち、前記特定ホッピングパターンは、マクロセルにより設定される。
【０４１１】
また、例えば、特定スモールセルのディスカバリ信号がＣＲＳ/ＰＲＳの形態を有する場合、ディスカバリ信号のリソース要素位置は、ＣＲＳ  ｐｏｒｔ  ０/ＰＲＳ  ｐｏｒｔ  ６のリソース要素位置でｖ−ｓｈｉｆｔの値及び/またはシンボル−ｓｈｉｆｔの値で表すことができる。
【０４１２】
このとき、ユーザ装置(ＵＥ)は、ｖ−ｓｈｉｆｔの値及び/またはシンボル−ｓｈｉｆｔの値を特定セルから設定を受けることができる。
【０４１３】
他の例を挙げると、特定スモールセルのディスカバリ信号がＣＳＩ−ＲＳの形態を有する場合、ディスカバリ信号のリソース要素位置は、ＤＳ  ＣＳＩ−ＲＳ  ｃｏｎｆｉｇｕｒａｔｉｏｎによって変わることができる。
【０４１４】
このとき、ユーザ装置は、ＤＳ  ＣＳＩ−ＲＳ  ｃｏｎｆｉｇｕｒａｔｉｏｎの値を特定セルから設定を受けることができる。
【０４１５】
また、第１の方案によると、ユーザ装置は、特定スモールセルでのディスカバリ信号の送信リソース要素位置を該当セルのセルＩＤ(ｃｅｌｌ  ｉｄ)及び/または該当セルが属しているスモールセルクラスタのＩＤ(ｃｌｕｓｔｅｒ  ｉｄ)から得ることができる。
【０４１６】
即ち、ディスカバリ信号の送信リソース要素位置は、ｃｅｌｌ  ｉｄ及び/またはｃｌｕｓｔｅｒ  ｉｄによる関数で表すことができる。
【０４１７】
例えば、特定スモールセルのディスカバリ信号がＣＲＳ/ＰＲＳの形態を有する場合、ディスカバリ信号のリソース要素位置は、ＣＲＳ  ｐｏｒｔ  ０/ＰＲＳ  ｐｏｒｔ  ６のリソース要素位置でｖ−ｓｈｉｆｔの値及び/またはシンボル−ｓｈｉｆｔの値で表すことができ、このとき、ユーザ装置(ＵＥ)は、ｖ−ｓｈｉｆｔの値及び/またはシンボル−ｓｈｉｆｔの値をｃｅｌｌ  ｉｄ及び/またはｃｌｕｓｔｅｒ  ｉｄから得ることができる(即ち、ｖ−ｓｈｉｆｔの値及び/またはシンボル−ｓｈｉｆｔの値をｃｅｌｌ  ｉｄ及び/またはｃｌｕｓｔｅｒ  ｉｄの関数で表すことができる)。
【０４１８】
他の例を挙げると、特定スモールセルのディスカバリ信号がＣＳＩ−ＲＳの形態を有する場合、ディスカバリ信号のリソース要素位置は、ＤＳ  ＣＳＩ−ＲＳ  ｃｏｎｆｉｇｕｒａｔｉｏｎによって変わることができる。
【０４１９】
このとき、ユーザ装置(ＵＥ)は、ＤＳ  ＣＳＩ−ＲＳ設定インデックスをｃｅｌｌ  ｉｄ及び/またはｃｌｕｓｔｅｒ  ｉｄから得ることができる(即ち、ＤＳ  ＣＳＩ−ＲＳ設定値をｃｅｌｌ  ｉｄ及び/またはｃｌｕｓｔｅｒ  ｉｄの関数で表すことができる。)
【０４２０】
例えば、ＤＳ  ＣＳＩ−ＲＳ設定インデックスは、(ｃｅｌｌ  ＩＤ  ｍｏｄ  Ｍ)ｏｒ(ｃｅｌｌ  ＩＤ＋ｃｌｕｓｔｅｒ  ｉｄ)ｍｏｄ  Ｍ、ｗｈｅｒｅ  Ｍ  ｉｓ  ｔｈｅ  ｎｕｍｂｅｒ  ｏｆ  ＤＳ  ＣＳＩ−ＲＳ  ｃｏｎｆｉｇｕｒａｔｉｏｎｓのように設定されることができる。
【０４２１】
本明細書の開示では、このように特定の他のセルから設定を受け、または該当スモールセルのｃｅｌｌ  ＩＤ及び/または該当スモールセルが属しているスモールセルクラスタのｃｌｕｓｔｅｒ  ＩＤから得ることでディスカバリ信号のリソース要素位置を示すことができるインデックス(例えば、ｖ−ｓｈｉｆｔ/シンボル−ｓｈｉｆｔ値、及び/またはＤＳ  ＣＳＩ−ＲＳ設定インデックス)をＤＳ_ｉｄｘという。
【０４２２】
また、第１の方案によると、ディスカバリ信号が送信されるリソース要素の位置は、ディスカバリ信号のリソース要素が変更される時間単位(前述した特定基準であるサブフレーム、ラジオフレームまたはＤＳ束別)のインデックス別に変わることができる。
【０４２３】
本明細書の開示では、このようなディスカバリ信号のリソース要素位置が変更される時間単位のタイムインデックス(Ｔｉｍｅ  Ｉｎｄｅｘ)をｔ_ｉｄｘという。
【０４２４】
即ち、前記ディスカバリ信号が送信されるリソース要素の位置は、前記特定基準に基づいて時間の変化によって決定されるタイムインデックス(Ｔｉｍｅ  Ｉｎｄｅｘ、ｔ_ｉｄｘ)によって変更される。
【０４２５】
このとき、ディスカバリ信号が送信されるリソース要素の位置が時間によって(または、ｔ_ｉｄｘによって)変わるパターン(または、ホッピングパターン)は、ｃｅｌｌ  ｉｄ及び/またはｃｌｕｓｔｅｒ  ｉｄによって変わることができる。
【０４２６】
即ち、リソース要素の位置が時間によって変わるパターン(または、ホッピングパターン)は、ｃｅｌｌ  ｉｄ及び/またはｃｌｕｓｔｅｒ  ｉｄに対する関数で表すことができる。
【０４２７】
特定スモールセルでのディスカバリ信号のリソース要素位置情報に対するインデックスであるＤＳ_ｉｄｘが存在する時、該当スモールセルにおける特定時点でのディスカバリ信号のリソース要素位置(例えば、ｖ−ｓｈｉｆｔ/シンボル−ｓｈｉｆｔ値、及び/またはＤＳ  ＣＳＩ−ＲＳ設定インデックス)は、ＤＳ_ｉｄｘ、該当スモールセルのｃｅｌｌ  ＩＤ及び/または該当スモールセルが属するスモールセルクラスタのＩＤ(ｃｌｕｓｔｅｒ  ｉｄ)によって変わることができる。
【０４２８】
例えば、ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝(ＤＳ_ｉｄｘ  ×  ｃｅｌｌ  ｉｄ  ×  ｃｌｕｓｔｅｒ  ｉｄ  ×  ｔ_ｉｄｘ)ｍｏｄ  Ｍ、ｗｈｅｒｅ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓまたはＤＳ_ｉｄｘ(ｔ_ｉｄｘ)＝(ＤＳ_ｉｄｘ  ×  ｃｌｕｓｔｅｒ  ｉｄ  ×  ｔ_ｉｄｘ)ｍｏｄ  Ｍ、ｗｈｅｒｅ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示すことができる。
【０４２９】
特徴的に、ｎは、支援(ａｓｓｉｓｔａｎｃｅ)情報を与えるマクロセルのサブフレームインデックス/ＳＦＮである。
【０４３０】
他の例として、ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝ｃ(ｔ_ｉｄｘ)ｍｏｄ  Ｍ、ｗｈｅｒｅ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓで表すことができる。
【０４３１】
このとき、ｃ(ｔ_ｉｄｘ)は、疑似ランダムシーケンス(ｐｓｅｕｄｏ−ｒａｎｄｏｍ  ｓｅｑｕｅｎｃｅ)であり、この疑似ランダムシーケンスは、ＤＳ_ｉｄｘ、ｃｅｌｌ  ｉｄ及び/またはｃｌｕｓｔｅｒ  ｉｄにより初期化(ｉｎｉｔｉａｌｉｚａｔｉｏｎ)されるシーケンスである。
【０４３２】
他の例を挙げると、ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝(ＤＳ_ｉｄｘ(ｔ_ｉｄｘ−１)×(ｃｌｕｓｔｅｒ  ｉｄ  ×  ｔ_ｉｄｘ))ｍｏｄ  Ｍ、ｗｈｅｒｅ  ＤＳ_ｉｄｘ(−１)＝ＤＳ_ｉｄｘ、ａｎｄ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示すことができる。
【０４３３】
特徴的に、ｎは、支援(ａｓｓｉｓｔａｎｃｅ)情報を与えるマクロセルのサブフレームインデックス/ＳＦＮである。
【０４３４】
さらに具体的な例として、ＣＳＩ−ＲＳの形態を有するディスカバリ信号がサブフレームによって異なるＤＳ  ＣＳＩ−ＲＳ設定のリソース要素位置を使用して送信され、特定サブフレームインデックスｎでのディスカバリ信号がＤＳ  ＣＳＩ−ＲＳ設定ＤＳ_ｉｄｘ(ｎ)を介して送信される時、ＤＳ_ｉｄｘ(ｎ)＝(ＤＳ_ｉｄｘ(ｎ−１)×(ｃｌｕｓｔｅｒ  ｉｄ  ×  ｎ))ｍｏｄ  Ｍ、ｗｈｅｒｅ  ＤＳ_ｉｄｘ(−１)＝ＤＳ_ｉｄｘ、ａｎｄ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示すことができる。
【０４３５】
特徴的に、ｎは、支援(ａｓｓｉｓｔａｎｃｅ)情報を与えるマクロセルのサブフレームインデックス(または、ＳＣＧ  ｓＰＣｅｌｌ、特定Ｓｃｅｌｌのサブフレームインデックス)である。
【０４３６】
−第２の方案
【０４３７】
時間による(ｔ_ｉｄｘによる)ディスカバリ信号の送信リソース要素の位置は、ｃｅｌｌ  ｉｄ及び/またはｃｌｕｓｔｅｒ  ｉｄ及びｔ_ｉｄｘによって決定されることができる。
【０４３８】
即ち、ディスカバリ信号が送信されるリソース要素の位置は、ｃｅｌｌ  ｉｄ及び/またはｃｌｕｓｔｅｒ  ｉｄ及びｔ_ｉｄｘに対する関数で表すことができる。
【０４３９】
例えば、ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝(ｃｅｌｌ  ｉｄ  ×  ｃｌｕｓｔｅｒ  ｉｄ  ×  ｔ_ｉｄｘ)ｍｏｄ  Ｍ、ｗｈｅｒｅ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示すことができる。
【０４４０】
特徴的に、ｎは、支援(ａｓｓｉｓｔａｎｃｅ)情報を与えるマクロセルのサブフレームインデックス/ＳＦＮである。
【０４４１】
他の例として、ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝ｃ(ｔ_ｉｄｘ)ｍｏｄ  Ｍ、ｗｈｅｒｅ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓで表すことができる。
【０４４２】
このとき、ｃ(ｔ_ｉｄｘ)は、疑似ランダムシーケンス(ｐｓｅｕｄｏ−ｒａｎｄｏｍ  ｓｅｑｕｅｎｃｅ)であり、この疑似ランダムシーケンスは、ｃｅｌｌ  ｉｄ及び/またはｃｌｕｓｔｅｒ  ｉｄにより初期化(ｉｎｉｔｉａｌｉｚａｔｉｏｎ)されるシーケンスである。
【０４４３】
他の例を挙げると、Ｃ  ＣＳＩ−ＲＳの形態を有するディスカバリ信号がｔ_ｉｄｘによって異なるＤＳ  ＣＳＩ−ＲＳ設定のリソース要素位置を使用して送信され、特定ｔ_ｉｄｘでのディスカバリ信号がＤＳ  ＣＳＩ−ＲＳ設定ＤＳ_ｉｄｘ(ｔ_ｉｄｘ)を介して送信される時、ＤＳ_ｉｄｘ(ｔ_ｉｄｘ)＝(ＤＳ_ｉｄｘ(ｔ_ｉｄｘ−１)×(ｃｌｕｓｔｅｒ  ｉｄ  ×  ｔ_ｉｄｘ))ｍｏｄ  Ｍ、ｗｈｅｒｅ  ＤＳ_ｉｄｘ(−１)＝ｃｅｌｌ  ＩＤ  ａｎｄ  Ｍ＝ｔｈｅ  ｎｕｍｂｅｒ  ｏｆ  ＤＳ  ＣＳＩ−ＲＳのように示し、またはＤＳ_ｉｄｘ(ｔ_ｉｄｘ)＝(ＤＳ_ｉｄｘ(ｔ_ｉｄｘ−１)×(ｃｅｌｌ  ｉｄ  ×  ｔ_ｉｄｘ))ｍｏｄ  Ｍ、ｗｈｅｒｅ  ＤＳ_ｉｄｘ(−１)＝ｃｌｕｓｔｅｒ  ＩＤ  ａｎｄ  Ｍ＝ｔｈｅ  ｎｕｍｂｅｒ  ｏｆ  ＤＳ  ＣＳＩ−ＲＳのように示すことができる。
【０４４４】
特徴的に、ｎは、支援(ａｓｓｉｓｔａｎｃｅ)情報を与えるマクロセルのサブフレームインデックス/ＳＦＮである。
【０４４５】
さらに具体的な例として、ＣＳＩ−ＲＳの形態を有するディスカバリ信号がサブフレームによって異なるＤＳ  ＣＳＩ−ＲＳ設定のリソース要素位置を使用して送信され、特定サブフレームインデックスｎでのディスカバリ信号がＤＳ  ＣＳＩ−ＲＳ設定ＤＳ_ｉｄｘ(ｎ)を介して送信される時、ＤＳ_ｉｄｘ(ｎ)＝(ＤＳ_ｉｄｘ(ｎ−１)×(ｃｌｕｓｔｅｒ  ｉｄ  ×  ｎ))ｍｏｄ  Ｍ、ｗｈｅｒｅ  ＤＳ_ｉｄｘ(−１)＝ｃｅｌｌ  ｉｄ、ａｎｄ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示し、またはＤＳ_ｉｄｘ(ｎ)＝(ＤＳ_ｉｄｘ(ｎ−１)×(ｃｅｌｌ  ｉｄ  ×  ｎ))ｍｏｄ  Ｍ、ｗｈｅｒｅ  ＤＳ_ｉｄｘ(−１)＝ｃｌｕｓｔｅｒ  ｉｄ、ａｎｄ  Ｍ＝ｔｈｅ  ｎｕｍｂｅｒ  ｏｆ  ＤＳ  ＣＳＩ−ＲＳ  ｃｏｎｆｉｇｕｒａｔｉｏｎｓのように示すことができる。
【０４４６】
特徴的に、ｎは、支援(ａｓｓｉｓｔａｎｃｅ)情報を与えるマクロセルのサブフレームインデックス(または、ＳＣＧ  ｓＰＣｅｌｌ、特定Ｓｃｅｌｌのサブフレームインデックス)である。
【０４４７】
−第３の方案
【０４４８】
第１の方案で言及したように、ユーザ装置(ＵＥ)は、特定スモールセルでのディスカバリ信号の送信リソース要素位置を特定セルから設定を受け、またはｃｅｌｌ  ｉｄ及び/またはｃｌｕｓｔｅｒ  ｉｄから得ることができる。
【０４４９】
例えば、特定スモールセルのディスカバリ信号がＣＲＳ/ＰＲＳの形態を有する場合、ディスカバリ信号のリソース要素位置は、ＣＲＳ  ｐｏｒｔ  ０/ＰＲＳ  ｐｏｒｔ  ６のリソース要素位置でｖ−ｓｈｉｆｔの値及び/またはシンボル−ｓｈｉｆｔの値で表すことができ、ユーザ装置(ＵＥ)は、ｖ−ｓｈｉｆｔの値及び/またはシンボル−ｓｈｉｆｔの値を特定セルから設定を受け、またはｃｅｌｌ  ｉｄ及び/またはｃｌｕｓｔｅｒ  ｉｄから得ることができる。
【０４５０】
他の例を挙げると、特定スモールセルのディスカバリ信号がＣＳＩ−ＲＳの形態を有する場合、ディスカバリ信号のＲＥ位置は、ＤＳ  ＣＳＩ−ＲＳ設定によって変わることができる。
【０４５１】
このとき、ユーザ装置(ＵＥ)は、例えば、ＤＳ  ＣＳＩ−ＲＳ設定の値を特定セルから設定を受け、またはｃｅｌｌ  ｉｄ及び/またはｃｌｕｓｔｅｒ  ｉｄから得ることができる。
【０４５２】
本明細書の開示では、このような方法により得ることができるディスカバリ信号のリソース要素位置を示すことができるインデックス(例えば、ｖ−ｓｈｉｆｔ/シンボル−ｓｈｉｆｔ値、及び/またはＤＳ  ＣＳＩ−ＲＳ設定インデックス)をＤＳ_ｉｄｘという。
【０４５３】
このとき、特定ＤＳ_ｉｄｘに該当するディスカバリ信号のリソース要素位置自体がｃｅｌｌ  ｉｄ及び/またはｃｌｕｓｔｅｒ  ｉｄ及びｔ_ｉｄｘ(例えば、サブフレームインデックス、ＳＦＮ)による関数である。
【０４５４】
即ち、例えば、ＣＳＩ−ＲＳの形態を有するディスカバリ信号の場合、３ＧＰＰ  ＴＳ  ３６.２１１標準文書によると、該当信号が送信されるリソース要素位置は、前述した数式７と同じである。
【０４５５】
このとき、信号のリソース要素位置を示すインデックスであるｋ及びｌは、ｃｅｌｌ  ｉｄ及び/またはｃｌｕｓｔｅｒ  ｉｄ及びｔ_ｉｄｘ(例えば、サブフレームインデックス、ＳＦＮ)による関数である。
【０４５６】
例えば、ｋ＝(ｃｅｌｌ  ｉｄ  ×  ｃｌｕｓｔｅｒ  ｉｄ  ×  ｔ_ｉｄｘ  ×  ｋ’)ｍｏｄ１１＋１２ｍ＋ａｌｐｈａ、ｗｈｅｒｅ  ａｌｐｈａ  ｄｅｐｅｎｄｓ  ｏｎ  ｔｈｅ  ａｎｔｅｎｎａ  ｐｏｒｔ、ｌ＝(ｃｅｌｌ  ｉｄ  ×  ｃｌｕｓｔｅｒ  ｉｄ  ×  ｔ_ｉｄｘ  ×  ｌ’)ｍｏｄ(７ｏｒ１４)＋(ｌ″ｏｒ２ｌ″)である。
【０４５７】
他の例を挙げると、ｋ＝(ｃｌｕｓｔｅｒ  ｉｄ  ×  ｔ_ｉｄｘ  ×  ｋ’)ｍｏｄ１１＋１２ｍ＋ａｌｐｈａ、ｗｈｅｒｅ  ａｌｐｈａ  ｄｅｐｅｎｄｓ  ｏｎ  ｔｈｅ  ａｎｔｅｎｎａ  ｐｏｒｔ、ｌ＝(ｃｌｕｓｔｅｒ  ｉｄ  ×  ｔ_ｉｄｘ  ×  ｌ’)ｍｏｄ(７ｏｒ１４)＋(ｌ″ｏｒ２ｌ″)である。
【０４５８】
さらに具体的な例として、ＣＳＩ−ＲＳの形態を有するディスカバリ信号のリソース要素位置がサブフレームによって変わる場合、サブフレームインデックスをｎとする時、ｋ＝(ｃｅｌｌ  ｉｄ  ×  ｃｌｕｓｔｅｒ  ｉｄ  ×  ｎ  ×  ｋ’)ｍｏｄ１１＋１２ｍ＋ａｌｐｈａ、ｗｈｅｒｅ  ａｌｐｈａ  ｄｅｐｅｎｄｓ  ｏｎ  ｔｈｅ  ａｎｔｅｎｎａ  ｐｏｒｔ、ｌ＝(ｃｅｌｌ  ｉｄ  ×  ｃｌｕｓｔｅｒ  ｉｄ  ×  ｎｘｌ’)ｍｏｄ(７ｏｒ１４)＋(ｌ″ｏｒ２ｌ″)である。または、ｋ＝(ｃｌｕｓｔｅｒ  ｉｄ  ×  ｎ  ×  ｋ’)ｍｏｄ１１＋１２ｍ＋ａｌｐｈａ、ｗｈｅｒｅ  ａｌｐｈａ  ｄｅｐｅｎｄｓ  ｏｎ  ｔｈｅ  ａｎｔｅｎｎａ  ｐｏｒｔ、ｌ＝(ｃｌｕｓｔｅｒ  ｉｄ  ×  ｎｘｌ’)ｍｏｄ(７ｏｒ１４)＋(ｌ″ｏｒ２ｌ″)である。
【０４５９】
したがって、本明細書の第３の開示のうち、第２の態様によると、前記ホッピングパターン(または、前記特定ホッピングパターン)は、特定スモールセルに該当するセル識別子(ＩＤ：Ｉｄｅｎｔｉｆｉｃａｔｉｏｎ)、特定スモールセルクラスタに該当するクラスタ識別子及び前記タイムインデックスのうち少なくとも一つにより決定される。
【０４６０】
ディスカバリ信号は、ディスカバリ信号間の干渉を減らすことができる方向に設計されることができる。
【０４６１】
そのために、ディスカバリ信号は、サブフレーム内でのリソース要素位置(例えば、ＲＳリソース(ＲＳ  ｒｅｓｏｕｒｃｅ))と多重(ｍｕｌｔｉｐｌｅ)サブフレーム単位のホッピングパターン(ｈｏｐｐｉｎｇ  ｐａｔｔｅｒｎ)で構成されることができる。
【０４６２】
ここで、ＲＳリソース(ＲＳ  ｒｅｓｏｕｒｃｅ)は、特徴的に基本リソース要素位置に追加的にｖ−ｓｈｉｆｔ及び/またはシンボル移動(ｓｙｍｂｏｌ−ｓｈｉｆｔ)が実行された形態である。
【０４６３】
互いに異なるＲＳリソースの個数をＮ_Ｒとする時、互いに異なるＲＳリソースは、互いに異なるリソース要素位置で構成されて互いに直交する(ｏｒｔｈｏｇｏｎａｌ)構造を有することができる。
【０４６４】
ホッピングパターンは、(多重)サブフレーム単位にディスカバリ信号の周波数位置が変わる周波数ホッピング(ｆｒｅｑｕｅｎｃｙ  ｈｏｐｐｉｎｇ)であってもよく、(多重)サブフレーム単位にディスカバリ信号が送信されるリソース要素位置(または、ＲＳリソース)が変わるホッピング形態であってもよい。このとき、互いに異なるホッピングパターンの個数をＮ_Ｈという。
【０４６５】
一方、便宜上、ＣＳＩ−ＲＳ設定インデックスをＣＳＩ−ＲＳ_ｉｄｘとする。このとき、本明細書の第３の開示は、ＣＳＩ−ＲＳ_ｉｄｘがｆ(ｉｎｉｔ_ｉｄｘ,ｔ_ｉｄｘ)(ｉｎｉｔ_ｉｄｘとｔ_ｉｄｘの関数)で表すことを提案する。
【０４６６】
このとき、ｔ_ｉｄｘは、下記の通りである。
【０４６７】
−ディスカバリ信号を送信するセルのタイミングインデックス(ｔｉｍｉｎｇ  ｉｎｄｅｘ)乃至タイムインデックス(ｔｉｍｅ  ｉｎｄｅｘ)(例えば、サブフレームインデックス、ＳＦＮ)
【０４６８】
−ユーザ装置のＰＣｅｌｌ、サービングセル、ＳＣＧ  ｓＰＣｅｌｌのタイミングインデックス(例えば、サブフレームインデックス、ＳＦＮ)
【０４６９】
−ユーザ装置に支援情報(ａｓｓｉｓｔａｎｔ  ｉｎｆｏｒｍａｔｉｏｎ)、ディスカバリ信号の設定(ｄｉｓｃｏｖｅｒｙ  ｓｉｇｎａｌ  ｃｏｎｆｉｇｕｒａｔｉｏｎ)を送信するセルのｃｅｌｌのタイミングインデックス(例えば、サブフレームインデックス、ＳＦＮ)
【０４７０】
このとき、ｉｎｉｔ_ｉｄｘは、下記の通りである。
【０４７１】
−特定ＴＰ(送信ポイント)のＤＲＳ−ＣＳＩ−ＲＳのＣＳＩ−ＲＳ_ｉｄｘを決定するｉｎｉｔ_ｉｄｘは、該当ＴＰのＣＳＩ−ＲＳ  ｓｃｒａｍｂｌｉｎｇ  ＩＤにより決定されることができる。特徴的に、ｉｎｉｔ_ｉｄｘは、ＣＳＩ−ＲＳ  ｓｃｒａｍｂｌｉｎｇ  ＩＤ値と同じでる。または、特徴的に、ＣＳＩ−ＲＳ  ｓｃｒａｍｂｌｉｎｇ  ＩＤによる一個または複数個のｉｎｉｔ_ｉｄｘの値が予め定義されたり設定されることができる。
【０４７２】
−特定ＴＰのＤＲＳ−ＣＳＩ−ＲＳのＣＳＩ−ＲＳ_ｉｄｘを決定するｉｎｉｔ_ｉｄｘは、該当ＴＰの(ＮＩＤ(１)  ａｎｄ/ｏｒ  ＮＩＤ(２))により決定されることができる。特徴的に、ｉｎｉｔ_ｉｄｘは、ＰＣＩＤ値と同じである。または、特徴的に、(ＮＩＤ(１)  ａｎｄ/ｏｒ  ＮＩＤ(２))による一個または複数個のｉｎｉｔ_ｉｄｘの値が予め定義されたり設定されることができる。
【０４７３】
各ディスカバリ信号のＤＳ  ＩＤまたはＲＳリソースインデックス及び/またはホッピングパターンインデックスは、該当ディスカバリ信号を送信するセルのｃｅｌｌ  ＩＤに従属的または独立的である。
【０４７４】
ＤＳ  ＩＤがｃｅｌｌ  ＩＤに従属的な場合、ＤＳ  ＩＤは、セルＩＤまたは仮想セルＩＤを意味する。または、ディスカバリ信号のＲＳリソースインデックスは、該当ディスカバリ信号を送信するセルのセルＩＤまたは仮想セルＩＤとマッチング(ｍａｔｃｈｉｎｇ)されることができる。
【０４７５】
一方、ディスカバリ信号のインデックスをＤＳ  ＩＤとする時、特定ＤＳ  ＩＤに対するＲＳリソースとホッピングパターン(ｈｏｐｐｉｎｇ  ｐａｔｔｅｒｎ)に対する構成方案は、下記の通りである。
【０４７６】
−第１の構成方案
【０４７７】
第１の構成方案によると、ＤＳ  ＩＤを知っている場合、該当ＤＳ  ＩＤを有するディスカバリ信号のＲＳリソースとホッピングパターンを知ることができる。
【０４７８】
このとき、同じＲＳリソースを有するが、互いに異なるホッピングパターンを有するディスカバリ信号が存在できる。
【０４７９】
この場合、同じＲＳリソースを有するが、互いに異なるホッピングパターンを有するディスカバリ信号は、互いに異なるＤＳ  ＩＤを有するようになる。この場合、ＤＳ  ＩＤの個数は、Ｎ_Ｒ＊Ｎ_Ｈと同じである。
【０４８０】
特定ディスカバリ信号のＤＳ  ＩＤを知っている場合、該当ディスカバリ信号のＲＳリソースとホッピングパターンのインデックスは、下記のように決められる。
【０４８１】
まず、特定ＤＳ  ＩＤのホッピングパターンのインデックスは、ＤＳ  ＩＤ  ｍｏｄ  Ｎ_Ｈと同じであり、ＲＳリソースのインデックスは、ｆｌｏｏｒ(ＤＳ  ＩＤ/Ｎ_Ｈ)と同じである。
【０４８２】
または、特定ＤＳ  ＩＤのホッピングパターンのインデックスは、ｆｌｏｏｒ(ＤＳ  ＩＤ/Ｎ_Ｒ)と同じであり、ＲＳリソースのインデックスは、ＤＳ  ＩＤ  ｍｏｄ  Ｎ_Ｒと同じである。
【０４８３】
−第２の構成方案
【０４８４】
第２の構成方案によると、ＤＳ  ＩＤを知っている場合、該当ＤＳ  ＩＤを有するディスカバリ信号のＲＳリソースとホッピングパターンを知ることができる。
【０４８５】
このとき、一つのＲＳリソースは、一つのホッピングパターンのみを有することができる。
【０４８６】
即ち、同じＲＳリソースと互いに異なるホッピングパターンで構成されたディスカバリ信号は存在できない。
【０４８７】
この場合、互いに異なるＲＳリソースを有するディスカバリ信号は、互いに異なるＤＳ  ＩＤを有するようになり、互いに異なるＤＳ  ＩＤを有するディスカバリ信号は、互いに異なるＲＳリソースを有するようになる。この場合、ＤＳ  ＩＤの個数は、Ｎ_Ｒと同じである。
【０４８８】
特定ディスカバリ信号のＤＳ  ＩＤを知っている場合、該当ディスカバリ信号のＲＳリソースとホッピングパターンのインデックスは、下記のように決められる。
【０４８９】
特定ＤＳ  ＩＤのＲＳリソースのインデックスは、ＤＳ  ＩＤと同じである。特定ＤＳ  ＩＤのホッピングパターンのインデックスは、ｆｌｏｏｒ(ＤＳ  ＩＤ/Ｎ_Ｒ)と同じ、またはＤＳ  ＩＤ  ｍｏｄ  Ｎ_Ｈと同じである。
【０４９０】
−第３の構成方案
【０４９１】
第３の構成方案によると、ＤＳ  ＩＤを知っている場合、該当ＤＳ  ＩＤを有するディスカバリ信号のＲＳリソースを知ることができる。
【０４９２】
この場合、特徴的に、互いに異なるＲＳリソースを有するディスカバリ信号は、互いに異なるＤＳ  ＩＤを有することができる。
【０４９３】
また、特徴的に、互いに異なるＤＳ  ＩＤを有するディスカバリ信号は、互いに異なるＲＳリソースを有することができる。
【０４９４】
この場合、ＤＳ  ＩＤのＲＳリソースのインデックスは、ＤＳ  ＩＤと同じ、またはＤＳ  ＩＤ  ｍｏｄ  Ｎ_Ｒと同じである。
【０４９５】
この場合、ディスカバリ信号のＤＳ  ＩＤのみでは該当ディスカバリ信号に適用されたホッピングパターンを知ることができない。
【０４９６】
したがって、基地局(ｅＮｏｄｅＢ)がユーザ装置(ＵＥ)に検出すべきディスカバリ信号に対して知らせる時、基地局は、ディスカバリ信号のＤＳ  ＩＤと共にＤＳ  ＩＤまたは該当ディスカバリ信号が属するＤＳ  ＩＤグループのホッピングパターンをユーザ装置(ＵＥ)に知らせることができる。
【０４９７】
または、基地局がユーザ装置に検出すべきディスカバリ信号に対してＤＳ  ＩＤのみを知らせた時、ユーザ装置(ＵＥ)は、可能なホッピングパターンに対してブラインドデコーディング(ｂｌｉｎｄ  ｄｅｃｏｄｉｎｇ)を実行することで該当ＤＳ  ＩＤを有するディスカバリ信号を検出し、ユーザ装置は、検出されたＤＳ  ＩＤと共に追加に検出されたホッピングパターンを基地局に報告することができる。
【０４９８】
【０４９９】
一方、各セルで使用するディスカバリ信号が互いに異なる送信パワーで送信される場合も考慮することができる。
【０５００】
この場合、パワーがディスカバリ信号またはネットワーク支援(ｎｅｔｗｏｒｋ  ａｓｓｉｓｔａｎｃｅ)を介して知られることができる。
【０５０１】
しかし、高電力で送信するディスカバリ信号の場合、他のディスカバリ信号に相対的に干渉を多く与えることができるため、高電力で送信するディスカバリ信号と低電力で送信するディスカバリ信号との間にはリソースが重ならないようにする必要がある。
【０５０２】
したがって、可用なディスカバリ信号向けリソースをパワーレベル別に分けることで、互いに対応されるレベル(ｃｒｏｓｓ−ｌｅｖｅｌ)間には重ならないように構成することもできる。
【０５０３】
これはリソース設定(ｒｅｓｏｕｒｃｅ  ｃｏｎｆｉｇｕｒａｔｉｏｎ)を異なるようにし(例えば、ＣＳＩ−ＲＳ  ｒｅｓｏｕｒｃｅ  ｃｏｎｆｉｇｕｒａｔｉｏｎ  ｉｎｄｉｃｅｓ  ｏｒ  ＣＲＳ  Ｖ−ｓｈｉｆｔ値)、ホッピングパターンを各レベル間に同じように適用し、または使用可能な設定(ｃｏｎｆｉｇｕｒａｔｉｏｎ)が一定のパターンを有してリソースをホッピングして使用することもできる。
【０５０４】
パワーを大きく使用するセルの場合、カバレッジを拡張しようとする目的であるため、これに対するセル検出(ｃｅｌｌ  ｄｅｔｅｃｔｉｏｎ)は、低ＳＩＮＲでディスカバリ信号が入る端末にも可能にする必要がある。
【０５０５】
そのために、各リソース要素当たり送信パワーを強くするよりは、ディスカバリ信号送信時、他のセルに比べてディスカバリ信号の密度(ｄｅｎｓｉｔｙ)を高めることもできる。本明細書の開示は、このような場合にも適用されることができることはもちろんである。
【０５０６】
【０５０７】
<本明細書の追加的開示>
【０５０８】
本明細書の追加的開示では、ＤＲＳ−ＣＳＩ−ＲＳ送信タイミング設定方案を提案する。
【０５０９】
ＤＲＳを使用したＲＳＲＰ/ＲＳＲＱ測定(ｍｅａｓｕｒｅｍｅｎｔ)のためにＤＭＴＣ(ＤＲＳ  ｍｅａｓｕｒｅｍｅｎｔ  ｔｉｍｉｎｇ  ｃｏｎｆｉｇｕｒａｔｉｏｎ)情報がＲＲＣシグナリングを介して端末に伝達されることができ、このような設定の特徴は、下記の通りである：
【０５１０】
−ユーザ装置は、周波数当たり少なくとも一つのＤＭＴＣの設定を受けることができる。(ＵＥ  ｃａｎ  ｂｅ  ｃｏｎｆｉｇｕｒｅｄ  ｗｉｔｈ  ａｔ  ｌｅａｓｔ  ｏｎｅ  ＤＲＳ  ｍｅａｓｕｒｅｍｅｎｔ  ｔｉｍｉｎｇ  ｃｏｎｆｉｇｕｒａｔｉｏｎ(ＤＭＴＣ)ｐｅｒ  ｆｒｅｑｕｅｎｃｙ)
【０５１１】
−ノート：ＤＭＴＣは、ユーザ装置がセル探索及びＤＲＳベースのＲＲＭ測定が実行されている時を指示する。(Ｎｏｔｅ：ＤＲＳ  ｍｅａｓｕｒｅｍｅｎｔ  ｔｉｍｉｎｇ  ｃｏｎｆｉｇｕｒａｔｉｏｎ  ｉｎｄｉｃａｔｅｓ  ｗｈｅｎ  ＵＥ  ｍａｙ  ｐｅｒｆｏｒｍ  ｃｅｌｌ  ｄｅｔｅｃｔｉｏｎ  ａｎｄ  ＲＲＭ  ｍｅａｓｕｒｅｍｅｎｔ  ｂａｓｅｄ  ｏｎ  ＤＲＳ)
【０５１２】
−ノート：ユーザ装置は、周波数上でＤＭＴＣに基づいて多重セルを検出する。(Ｎｏｔｅ：ＵＥ  ｃａｎ  ｄｅｔｅｃｔ  ｍｕｌｔｉｐｌｅ  ｃｅｌｌｓ  ｂａｓｅｄ  ｏｎ  ａ  ＤＲＳ  ｍｅａｓｕｒｅｍｅｎｔ  ｔｉｍｉｎｇ  ｃｏｎｆｉｇｕｒａｔｉｏｎ  ｏｎ  ｔｈｅ  ｆｒｅｑｕｅｎｃｙ)
【０５１３】
−ユーザ装置は、ＤＭＴＣ内でＤＲＳを期待することができる。(ＵＥ  ｃａｎ  ｅｘｐｅｃｔ  ＤＲＳ  ｉｎ  ＤＲＳ  ｍｅａｓｕｒｅｍｅｎｔ  ｔｉｍｉｎｇ  ｃｏｎｆｉｇｕｒａｔｉｏｎ)
【０５１４】
−ＤＭＴＣは、少なくとも一つの周期、オフセット及び潜在的な持続期間を含む。前記オフセットに対する参照タイミングは、プライマリサービングセルのタイミングである。(ＤＲＳ  ｍｅａｓｕｒｅｍｅｎｔ  ｔｉｍｉｎｇ  ｃｏｎｆｉｇｕｒａｔｉｏｎ  ｉｎｃｌｕｄｅｓ  ａｔ  ｌｅａｓｔ  ｐｅｒｉｏｄ  ａｎｄ  ｏｆｆｓｅｔ  ａｎｄ  ｐｏｔｅｎｔｉａｌｌｙ  ｄｕｒａｔｉｏｎ．Ｔｈｅ  ｒｅｆｅｒｅｎｃｅ  ｔｉｍｉｎｇ  ｆｏｒ  ｔｈｅ  ｏｆｆｓｅｔ  ｉｓ  ｔｈｅ  ｐｒｉｍａｒｙ  ｓｅｒｖｉｎｇ  ｃｅｌｌ  ｓ  ｔｉｍｉｎｇ)
【０５１５】
即ち、ＤＭＴＣは、特定搬送波周波数(ｃａｒｒｉｅｒ  ｆｒｅｑｕｅｎｃｙ)別に与えられることができ、該当周波数に対してＤＲＳ測定を実行するようにする“測定ウィンドウ(ｍｅａｓｕｒｅｍｅｎｔ  ｗｉｎｄｏｗ)”の開始点は、前記周期及びオフセットにより指示されることができる。
【０５１６】
このような測定ウィンドウは、前記周期(例えば、４０ｍｓ、８０ｍｓ、１６０ｍｓ、…)毎に周期的に示すようになる。
【０５１７】
端末は、このようなＤＭＴＣ測定ウィンドウ内に存在できる(多重)ＤＲＳオケイジョン(ｏｃｃａｓｉｏｎ(ｓ))の検出を試み、ＤＲＳベースの測定を実行するようにする。
【０５１８】
図１９は、ＤＲＳに含まれるＣＳＩ−ＲＳ(ＤＲＳ−ＣＳＩ−ＲＳ)の送信サブフレームの位置を示す例示図である。
【０５１９】
図１９を参照すると、ＤＲＳに含まれるＣＳＩ−ＲＳ(ＤＲＳ−ＣＳＩ−ＲＳ)の送信サブフレームの位置は、ｃｅｌｌ/ＴＰ毎に互いに異なる。
【０５２０】
この場合、特徴的に、ユーザ装置は、各ｃｅｌｌ/ＴＰでのＤＲＳ−ＣＳＩ−ＲＳの送信サブフレーム位置を基地局から設定を受けることができる。
【０５２１】
このとき、ユーザ装置(ＵＥ)は、ＴＳ  ３６.２１１のＴａｂｌｅ  ６.１０.５.３−１(表６参照)に開示されたようなＣＳＩ−ＲＳサブフレームオフセット値の設定を受けることで、各ｃｅｌｌ/ＴＰが送信するＤＲＳ−ＣＳＩ−ＲＳの送信サブフレーム位置を知ることができる。
【０５２２】
このようにユーザ装置がＣＳＩ−ＲＳサブフレームオフセットの設定を受けるために、１)ユーザ装置は、設定を受けたＣＳＩ−ＲＳの周期/オフセット値を自分のＰＣｅｌｌのタイミングに合わせて適用することができる。または、２)ユーザ装置は、各ｃｅｌｌ/ＴＰのタイミングがＰＣｅｌｌと同じであると仮定することができる。または、３)ネットワークが各ｃｅｌｌ/ＴＰまたは各周波数別にＰＣｅｌｌとのタイミング(サブフレーム)オフセット値を知らせることができる。ユーザ装置(ＵＥ)は、このとき、設定を受けるオフセット値をＰＣｅｌｌタイミングに適用して各ｃｅｌｌ/ＴＰまたは各周波数へのサブフレームタイミングを類推することができる。もし、周波数別オフセットが与えられた場合、該当周波数でＤＲＳ−ＣＳＩ−ＲＳ設定を受けた全てのｃｅｌｌ/ＴＰが同期されていると仮定することができる。
【０５２３】
ユーザ装置が各ｃｅｌｌ/ＴＰでのＤＲＳ−ＣＳＩ−ＲＳの送信サブフレーム位置を基地局から設定を受ける他の方法として、ＤＲＳ測定タイミング設定(ＤＭＴＣ：ＤＲＳ  ｍｅａｓｕｒｅｍｅｎｔ  ｔｉｍｉｎｇ  ｃｏｎｆｉｇｕｒａｔｉｏｎ)区間の開始サブフレーム位置(測定ウィンドウの開始点)からのオフセット値を設定を受けることができる。
【０５２４】
即ち、ユーザ装置は、各ｃｅｌｌ/ＴＰに対しＤＭＴＣ区間の開始サブフレーム位置(測定ウィンドウの開始点)からの相対的なオフセット値を設定を受けて、該当オフセットが示すサブフレーム位置で各ｃｅｌｌ/ＴＰのＤＲＳ−ＣＳＩ−ＲＳが送信されると判断できる。
【０５２５】
該当オフセットの値は、特徴的に０〜４の値を有することができる。この場合、ＤＲＳ−ＣＳＩ−ＲＳの送信周期は、ＤＭＴＣの周期と同じであると仮定することができる。
【０５２６】
ユーザ装置は、ＤＭＴＣの周期とは別途にＤＲＳ−ＣＳＩ−ＲＳの周期の設定を受けることもできるが、設定を受けない場合はＤＭＴＣの周期と同じであると仮定することができる。
【０５２７】
ユーザ装置が各ｃｅｌｌ/ＴＰでのＤＲＳ−ＣＳＩ−ＲＳの送信サブフレーム位置を基地局から設定を受ける他の方法として、ＤＲＳに含まれているＳＳＳ(即ち、ＤＲＳ−ＳＳＳ)の送信サブフレーム位置からのオフセット値を設定を受けることができる。
【０５２８】
即ち、ＵＥは、各ｃｅｌｌ/ＴＰに対してＤＲＳに含まれているＳＳＳ(ＤＲＳ−ＳＳＳ)の送信サブフレーム位置からの相対的なオフセット値を設定を受けて、該当オフセットが示すサブフレーム位置で各ｃｅｌｌ/ＴＰのＤＲＳ−ＣＳＩ−ＲＳが送信されると判断できる。
【０５２９】
この場合、ＤＲＳ−ＳＳＳは、全てのｃｅｌｌ/ＴＰで同じサブフレーム位置を介して送信されることができる。他の方法として、このようなオフセット値は、ＤＲＳに含まれているＰＳＳ(即ち、ＤＲＳ−ＰＳＳ)の送信サブフレーム位置からのオフセット値である。該当オフセットの値は、特徴的に、０〜４または−４〜４の値を有することができる。
【０５３０】
このような設定は、各ｃｅｌｌ/ＴＰまたはｃｅｌｌ/ＴＰのグループ別にまたは周波数別にユーザ装置に設定されたり指定されたりすることができる。
【０５３１】
【０５３２】
以上で説明した本発明の実施例は、多様な手段を介して具現されることができる。例えば、本発明の実施例は、ハードウェア、ファームウェア(ｆｉｒｍｗａｒｅ)、ソフトウェアまたはそれらの結合などにより具現されることができる。具体的には、図面を参照して説明する。
【０５３３】
図２０は、本明細書の開示が具現される無線通信システムを示すブロック図である。
【０５３４】
基地局２００は、プロセッサ(ｐｒｏｃｅｓｓｏｒ)２０１、メモリ(ｍｅｍｏｒｙ)２０２及びＲＦ部(ＲＦ(ｒａｄｉｏ  ｆｒｅｑｕｅｎｃｙ)ｕｎｉｔ)２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び/または受信する。プロセッサ２０１は、提案された機能、過程及び/または方法を具現する。前述した実施例における基地局の動作は、プロセッサ２０１により具現されることができる。
【０５３５】
ユーザ装置(ＵＥ)１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び/または受信する。プロセッサ１０１は、提案された機能、過程及び/または方法を具現する。
【０５３６】
プロセッサは、ＡＳＩＣ(ａｐｐｌｉｃａｔｉｏｎ−ｓｐｅｃｉｆｉｃ  ｉｎｔｅｇｒａｔｅｄ  ｃｉｒｃｕｉｔ)、他のチップセット、論理回路及び/またはデータ処理装置を含むことができる。メモリは、ＲＯＭ(ｒｅａｄ−ｏｎｌｙ  ｍｅｍｏｒｙ)、ＲＡＭ(ｒａｎｄｏｍ  ａｃｃｅｓｓ  ｍｅｍｏｒｙ)、フラッシュメモリ、メモリカード、格納媒体及び/または他の格納装置を含むことができる。ＲＦ部は、無線信号を処理するためのベースバンド回路を含むことができる。実施例がソフトウェアで具現される時、前述した技法は、前述した機能を遂行するモジュール(過程、機能など)で具現されることができる。モジュールは、メモリに格納され、プロセッサにより実行されることができる。メモリは、プロセッサの内部または外部にあり、よく知られた多様な手段でプロセッサと連結されることができる。
【０５３７】
本明細書の一開示による端末乃至ユーザ装置は、クラスタ単位にグループ化された複数の小規模セル(Ｓｍａｌｌ−ｓｃａｌｅｄ  Ｃｅｌｌｓ)から一回の送信時、複数のサブフレームにわたって送信され、長い周期で周期的に送信される信号を受信するユーザ装置であって、前記信号を受信するＲＦ部と、前記複数の小規模セルのうち、任意小規模セルからの前記信号を第１のサブフレーム上で受信し、前記任意セルからの前記信号を第２のサブフレーム上で受信するように前記ＲＦ部を制御するプロセッサと、を含み、前記信号が受信されるリソース要素の位置は、予め決められたホッピングパターンによって時変されることで、前記第１のサブフレーム上で前記信号が受信されるリソース要素の位置は、前記第２のサブフレーム上で前記信号が受信されるリソース要素の位置と変わる。
【０５３８】
ここで、前記信号は、前記任意小規模セルがオフ状態である場合にも受信され、前記任意小規模セルのオフ状態では前記信号外の他の信号は受信されない。
【０５３９】
前記信号が送信されるリソース要素の位置は、特定基準に基づいて時変され、前記特定基準は、サブフレーム、ラジオフレーム及び前記信号に対する送信イベントの発生である。
【０５４０】
また、前記予め決められたホッピングパターンは、スモールセル別にまたはクラスタ別に異なるように決定される。
【０５４１】
また、前記予め決められたホッピングパターンは、前記任意小規模セルに該当するセル識別子(ＩＤ：Ｉｄｅｎｔｉｆｉｃａｔｉｏｎ)、前記任意小規模セルを含むクラスタに該当するクラスタ識別子及び前記特定基準に基づいて時間の変化によって決定されるタイムインデックス(Ｔｉｍｅ  Ｉｎｄｅｘ)により決定される。
【０５４２】
また、本明細書の一開示による端末乃至ユーザ装置は、複数のスモールセル(Ｓｍａｌｌ  Ｃｅｌｌｓ)または複数の小規模セル(Ｓｍａｌｌ−ｓｃａｌｅｄ  Ｃｅｌｌｓ)を含む複数のスモールセルクラスタ(または、クラスタ)で構成される無線通信システムにおいて、任意スモールセルを探すためのセル探索過程を実行する端末乃至ユーザ装置であって、前記任意スモールセルにより生成されたディスカバリ信号を受信するＲＦ部：前記ディスカバリ信号に基づいて前記任意スモールセルを探索するプロセッサ；を含み、前記ディスカバリ信号が送信されるリソース要素の位置は、時間によって変更される。
【０５４３】
前記ディスカバリ信号が送信されるリソース要素の位置は、特定基準に基づいて時間によって変更され、前記特定基準は、サブフレーム、ラジオフレーム及び前記ディスカバリ信号に対する送信イベントの発生である。
【０５４４】
また、前記ディスカバリ信号が送信されるリソース要素の位置は、特定ホッピングパターンによって変更され、前記特定ホッピングパターンは、スモールセル別にまたはスモールセルクラスタ別に異なるように決定される。
【０５４５】
ここで、前記特定ホッピングパターンは、任意スモールセルに該当するセル識別子(ＩＤ：Ｉｄｅｎｔｉｆｉｃａｔｉｏｎ)、任意スモールセルを含むクラスタに該当するクラスタ識別子及び前記特定基準に基づいて時間の変化によって決定されるタイムインデックス(Ｔｉｍｅ  Ｉｎｄｅｘ)により決定される。
【０５４６】
【０５４７】
前述した例示的なシステムにおいて、方法は、一連のステップまたはブロックで順序図に基づいて説明されているが、本発明は、ステップの順序に限定されるものではなく、あるステップは、前述と異なるステップと、異なる順序にまたは同時に発生できる。また、当業者であれば、順序図に示すステップが排他的でなく、他のステップが含まれ、または順序図の一つまたはそれ以上のステップが本発明の範囲に影響を及ぼさずに削除可能であることを理解することができる。
【０５４８】
以上で説明したように、本明細書の開示によると、前述した従来技術の問題点が解決される。より具体的に、本明細書の開示によると、隣接セル間の干渉を考慮して決定されたリソース要素上に探索信号が送信されることで、効率的で優れたセル探索過程(Ｃｅｌｌ  Ｓｅａｒｃｈ  Ｐｒｏｃｅｄｕｒｅ)またはセルディスカバリ過程(Ｃｅｌｌ  Ｄｉｓｃｏｖｅｒｙ  Ｐｒｏｃｅｄｕｒｅ)が実行される利点がある。
【図１】
0006297163.tif 000020
【図２】
0006297163.tif 000021
【図３】
0006297163.tif 000022
【図４】
0006297163.tif 000023
【図５】
0006297163.tif 000024
【図６】
0006297163.tif 000025
【図７】
0006297163.tif 000026
【図８】
0006297163.tif 000027
【図９ａ】
0006297163.tif 000028
【図９ｂ】
0006297163.tif 000029
【図１０】
0006297163.tif 000030
【図１１】
0006297163.tif 000031
【図１２】
0006297163.tif 000032
【図１３ａ】
0006297163.tif 000033
【図１３ｂ】
0006297163.tif 000034
【図１４】
0006297163.tif 000035
【図１５】
0006297163.tif 000036
【図１６】
0006297163.tif 000037
【図１７ａ】
0006297163.tif 000038
【図１７ｂ】
0006297163.tif 000039
【図１８】
0006297163.tif 000040
【図１９】
0006297163.tif 000041
【図２０】
0006297163.tif 000042